(57)【要約】  本発明のスライダー(1,2,3,4)は、スライダー胴体(10,40,70,110)の上翼板(11,41,71,111)に引手取付杆(20,50,80,120)が片持状に一体形成され、上翼板(11,41,71,111)と引手取付杆(20,50,80,120)の自由端部(23,53,83,123)との間に閉塞部材(30,60,90,130)が配される。上翼板(11,41,71,111)及び自由端部(23,53,83,123)は、閉塞部材(30,60,90,130)を装着する第１及び第２装着部を有し、閉塞部材(30,60,90,130)は、上翼板(11,41,71,111)の第１装着部及び自由端部(23,53,83,123)の第２装着部に装着される第１及び第２被着部を有する。これにより、スライダー(1,2,3,4)の組み立てが簡単になる。また、引手(5)が強く引っ張られても引手取付杆(20,50,80,120)の変形が最小限に抑えられる。
2014073111.tif 000002
【特許請求の範囲】
【請求項１】
上下翼板(11,12,41,42,71,111,112)を有するスライダー胴体(10,40,70,110)の前記上翼板(11,41,71,111)の上面に、引手(5) を保持する引手取付杆(20,50,80,120)が片持状に一体に形成され、前記引手取付杆(20,50,80,120)は、前記上翼板(11,41,71,111)から起立する固定端部(21,51,81,121)と、前記上翼板(11,41,71,111)との間に前記引手(5) の一部が挿通可能な挿通間隙(25,55,85,125)が形成された自由端部(23,53,83,123)とを有し、前記挿通間隙(25,55,85,125)を閉塞する閉塞部材(30,60,90,130)が前記スライダー胴体(10,40,70,110)に配されてなるスライドファスナーの引手後付けスライダー(1,2,3,4) であって、
前記スライダー胴体(10,40,70,110)の前記上翼板(11,41,71,111)は、前記閉塞部材(30,60,90,130)を装着する第１装着部を有し、
前記引手取付杆(20,50,80,120)の前記自由端部(23,53,83,123)は、前記閉塞部材(30,60,90,130)を装着する第２装着部を有し、
前記閉塞部材(30,60,90,130)は、前記上翼板(11,41,71,111)の前記第１装着部に装着される第１被着部と、前記自由端部(23,53,83,123)の前記第２装着部に装着される第２被着部とを有し、
前記第１装着部及び前記第１被着部のうちの何れか一方が、第１アリ溝部(11c,41c〜41e,71c,71d,111c) を有するとともに、他方が、前記第１アリ溝部(11c,41c〜41e,71c,71d,111c) に挿嵌されて係合する第１挿嵌係合構造を備えた第１挿嵌係合部(32,61a,93,132) を有し、
前記第２装着部及び前記第２被着部のうちの何れか一方が、第２アリ溝部(23a,53b,83a,123a)を有するとともに、他方が、前記第２アリ溝部(23a,53b,83a,123a)に挿嵌されて係合する第２挿嵌係合構造を備えた第２挿嵌係合部(33a,63a,92a,133a)を有してなる、
ことを特徴とする引手後付けスライダー。
【請求項２】
前記第１挿嵌係合構造及び第２挿嵌係合構造のうちの少なくとも一方は、前記閉塞部材(30,60,90,130)の後退方向への移動を阻止する後退移動阻止手段を有し、
前記後退移動阻止手段は、弾性部材を介した係着爪(33b,61b,92b,133b)による係着を含んでなる、
請求項１記載の引手後付けスライダー。
【請求項３】
前記第１アリ溝部(11c,41c〜41e,71c,71d,111c) は、前記上翼板(11,41,71,111)の前記第１装着部に配され、
前記第２アリ溝部(23a,53b,83a,123a)は、前記自由端部(23,53,83,123)の前記第２装着部に配されてなる、
請求項１又は２記載の引手後付けスライダー。
【請求項４】
前記第１アリ溝部(11c,41c〜41e,111c) は、前記上翼板の上面から下方に向けて凹設された凹陥部(11b,41b,111b)の周壁に、少なくともスライダー幅方向の外側に向けて凹設され、且つ、上下内壁面と溝底面とを備えた第１凹溝条を有し、
前記第１凹溝条の前記上内壁面は、前記第１凹溝条の前記溝底面の位置から前記凹陥部(11b,41b,111b)側に向けて突出する突片部(11d,41h〜41j,111e)により構成されてなる、
請求項３記載の引手後付けスライダー。
【請求項５】
前記第２アリ溝部(23a,53b,83a,123a)は、前記自由端部(23,53,83,123)におけるスライダー幅方向に向いた左右側面から、スライダー幅方向の内側に向けて凹設され、且つ、上下内壁面と溝底面とを備えた一対の第２凹溝条を有し、
各第２凹溝条の前記下内壁面は、前記第２凹溝条の溝底面の位置からスライダー幅方向の外側に向けて突出する突条部(23c,53c,83b,123c)により構成されてなる、
請求項３又は４記載の引手後付けスライダー。
【請求項６】
前記閉塞部材(30,60,130) は、基板部(31,61,131) と、前記基板部(31,61,131) から上方に向けて、スライダー幅方向に所定の間隔を空けて起立した一対の起立板片(33,63,133) と、前記起立板片(33,63,133) の上端部において、互いに接近する方向に伸びた左右翼板(33a,63a,133a) とを有し、
前記左右翼板(33a,63a,133a) は、前記第２被着部として、前記第２アリ溝部(23a,53b,123a)の前記一対の第２凹溝条に挿嵌されて係合してなる、
請求項５記載の引手後付けスライダー。
【請求項７】
前記閉塞部材(30,60,130) は、前記基板部(31,61,131) からスライダー幅方向の外側に延設され、前記第１被着部として前記第１アリ溝部(11c,41c〜41e,111c) の前記第１凹溝条に挿嵌されて係合する一対の平板片部(32,61a,132)を有し、
前記凹陥部(11b,41b,111b)と、前記第１アリ溝部(11c,41c〜41e,111c) の前記第１凹溝条とは、前記上翼板(11,41,111) の後口側端部に開口を有し、
前記閉塞部材(30,60,130) の前記基板部(31,61,131) 及び前記一対の平板片部(32,61a,132)は、前記開口を介して、前記凹陥部(11b,41b,111b)及び前記第１アリ溝部(11c,41c〜41e,111c) の前記第１凹溝条に挿入されてなる、
請求項６記載の引手後付けスライダー。
【請求項８】
前記引手取付杆(20,120)は、前記固定端部(21,121)と前記自由端部(23,123)との間に配された延設部(22,122)を有し、
前記延設部(22,122)と前記上翼板(11,111)の上面との間に、引手収容部(24,124) が配され、
前記閉塞部材(30,130) は、前記左右翼板(33a,133a) の対向側面から互いに近接する方向に突出する一対の係着爪(33b,133b)を有し、
前記第２アリ溝部(23a,123a)の前記一対の第２凹溝条における前記引手収容部(24,124) 側の端部に、前記係着爪(33b,133b)を収容して係着させる係着空間(23b,123b)が配されてなる、
請求項６又は７記載の引手後付けスライダー。
【請求項９】
前記閉塞部材(60)は、前記一対の平板片部(61a) からスライダー幅方向の外側に突出する一対の係着爪(61b) を有し、
前記第１アリ溝部(41c,41d) の前記第１凹溝条よりスライダー長さ方向の肩口側に、前記係着爪(61b) を収容して係着させる係着空間(41g) が配されてなる、
請求項７記載の引手後付けスライダー。
【請求項１０】
前記第１アリ溝部(11c,41c〜41e,111c) の前記第１凹溝条、又は、前記第２アリ溝部(23a,53b,83a,123a)の第２凹溝条は、スライダー長さ方向の肩口側に向けて下り傾斜して配されてなる請求項５〜９のいずれかに記載の引手後付けスライダー。
【発明の詳細な説明】
【技術分野】
【０００１】
本発明は、スライドファスナーに用いられるスライダーに関し、特に、スライダー胴体を作製した後に、同スライダー胴体に引手を後から取り付けるタイプのスライドファスナー用スライダーに関する。
【背景技術】
【０００２】
スライドファスナー用のスライダーは、上翼板と、下翼板と、上下翼板の間にエレメントの通過間隙をもたせて上下翼板の一端部を連結する案内柱と、上翼板の案内柱側の一端部の上面に立ち上がり、他端部に向けて延在する引手取付杆と、同引手取付杆に取り付けられる引手とを備えている。この引手は、引手取付杆と上翼板上面との間の引手収容空間に引手の取付軸部を挿通させることにより引手取付杆に取り付けられる。一般のスライダーでは、引手取付杆と上翼板上面との間の引手収容空間の領域に引手の取付軸部をセットしてから、引手取付杆の両端をスライダー胴体の上翼板上面の所定位置に不動に固定する。そのため、このようなスライダーでは、顧客の要求や好みに応じて、色や模様、形態などの異なる各種の引手をスライダー胴体に自由に取り付けることができず、スライダー胴体に一旦取り付けられた引手は任意に交換することができない。【０００３】
こうした従来の一般的なスライダーに代わる、スライダー胴体に引手を後から取り付けるスライダーの提案も多くなされている。その代表的な提案が、例えば、ＷＯ２０１０／０５８４６５Ａ１（特許文献１）及びＷＯ２０１１／０８６７０３Ａ１（特許文献２）などに開示されている。特許文献１及び２によれば、胴体の上翼板上面の前端部である案内柱側端部に引手保持体（引手取付杆）の一端が固着され、他端を自由端として上翼板上面に片持状に引手保持体（引手取付杆）が固設されている。ここで、特許文献１に開示されたスライダーは、引手保持体とスライダー胴体とが別個に製作され、スライダーの組み付け時に引手保持体をスライダー胴体に組み付け固定する。一方、特許文献２に開示されたスライダーでは、その引手取付杆の一端がスライダー胴体の一端部に片持ち状に一体成形されている。いずれのスライダーも、引手取付杆の自由端と上翼板との間には引手の取付軸部を挿通できる挿通間隙が形成されており、この間隙に引手の取付軸部の挿通後、別途用意した閉鎖体や閉塞部材により閉鎖される。【０００４】
特許文献１に記載された後付けタイプのスライダーでは、前記閉鎖体が前記上翼板の案内柱側とは反対側の後ろ口側の前記挿通間隙から案内柱側の引手収容空間の途中まで、上翼板の上面に設けられたスライダーの幅方向の左右及び上翼板に直交する上下方向の移動を規制する摺動路に沿って前後方向へと摺動案内される。因みに、特許文献１における前記摺動路は上翼板の左右端部に沿って形成される開口縁を対向させて形成されたアリ溝である。一方、前記引手保持体の左右後端部にも断面コ字状の摺動溝が、その開口縁を対向させて形成されている。閉鎖体の下端縁に沿って形成されたガイド片と閉鎖体の左右上端縁部に沿ってフランジ状に形成されたガイド片とを前記アリ溝及び摺動溝にそれぞれ挿入して、閉鎖体をもって引手保持体と上翼板との間の挿通間隙を閉鎖すると同時に、閉鎖体を引手保持体及び上翼板に上下、左右から固定保持する。ここで本明細書においては、スライダーについて上側とは引手が取り付けられた上翼板の側をいう。上翼板の上面における後端側半部には後部凹陥部が形成されている。【０００５】
かかる構成にあって、前記閉鎖体を上翼板の上面後端部にセットし、スライダー胴体の上翼板の左右後端部に立設された突出短片を加締め加工して上翼板上面とほぼ平行になるまで予め折り曲げておく。ここで、引手をスライダー胴体に取り付けるには、引手保持体の前端部を上翼板の前端部に嵌着固定すると同時に、当該引手保持体における後端部に配された摺動溝に閉鎖体の上ガイド片を嵌め込む。このとき、上翼板の上面に形成された後部凹陥部には予めコイルスプリングが配されており、このコイルスプリングの弾力に抗して、閉鎖体を前方の所定位置まで移動させ、引手保持体の自由端と上翼板との間の引手挿通間隙を通して前記引手の取付軸部を挿通させ、前記閉鎖体の前方に形成された引手保持体との間の引手収容空間の一部に収容したのち、所定位置にセットする。このセットが終了すると、前記閉鎖体を前記コイルスプリングによる前方から後方に向けて働く弾力により上記後部凹陥部に沿って挿通間隙の入口まで移動させる。このとき、左右突出短片の案内柱側の前端面に前記閉鎖体の左右下端縁に沿って外側に突出するガイド片の後端面が衝接し、突出短片がストッパーとして機能し、閉鎖体はそれ以上後退することがない。【０００６】
こうして引手が組み付けられたスライダーは、引手をスライダー胴体から取り外すこともできる。引手を取り外すには、まず閉鎖体の上面と引手保持体の内面との間に引手が通過可能な空間が形成された位置まで、コイルスプリングの弾力に抗して閉鎖体を一旦前進させる。ここで、前記閉鎖体を停止状態としてその場に留め、引手の取付軸部を前記引手収容空間の引手保持体と上翼板との間の引手収容空間の一部から抜き出し、引手をスライダー胴体から取り外す。その後、引手収容空間の途中に留めた閉鎖体の拘束を開放すると、上記コイルスプリングの弾力により閉鎖体は上記突出短片との衝接位置まで容易に戻すことができ、続いて引手を引っ張って挿通間隙から引き出す。このように、この特許文献１により提案されたスライダーは、引手の後付けと取り外しが自由にできるため、顧客の好みに合わせて、その場で引手を交換することができる。【０００７】
一方、上記特許文献２が提案する後付けスライダーによれば、初めからスライダー胴体と引手取付杆とが成形一体化されている。この文献２に記載されたスライダーにあっても、特許文献１と同様、引手取付杆の一端がスライダー胴体の上翼板における案内柱側端部に固設され、他端が自由端部となって片持ち状で一体化されており、その自由端部と上翼板との間に引手の取付軸部が挿通可能な挿通間隙を有する。上翼板における上面の幅方向中央部の後端側半部には、後端まで延びる矩形状の凹溝が形成されており、この凹溝には前記挿通間隙を閉塞する閉塞部材が嵌め込まれる。また、引手取付杆の自由端部先端は下方に湾曲したフック状を呈しており、そのフック状先端部の下面には閉塞部材との係着段部が形成されている。【０００８】
この特許文献２に開示された代表的な閉塞部材の第１番目の例では、本体幅方向左右の肩部から平行に後方に向けて水平に延びる左右腕部を有し、前記左右肩部の間には同じく左右腕部と同一方向に平行に延びる弾性片部を有している。前記左右肩部及び左右腕部は剛体からなり、前記弾性片部は縦断面が倒伏Ｌ字状を呈し、その先端部が屈曲基端部を中心として上下に弾性変形する。前記左右肩部を含む前記弾性片部の前端面は案内柱側である前方に向けて下傾斜する傾斜面に形成され、弾性片部の上面中央部には引手取付け片の先端係着段部と係脱する係脱段部を有している。前記左右肩部を含む左右腕部の外側側面間の寸法は、上記矩形状の前記凹溝の左右内壁面間の寸法に等しく、前記肩部の前端面と前記左右腕部の後端面との間の寸法は、前記凹溝の前端と後端との間の寸法に等しい。前記弾性片部の上下高さは、前記上翼板の前記凹溝の底面から前記引手取付杆における前記係脱段部の上面までの間の寸法に等しい。前記傾斜面は、引手取付杆と上翼板との間の引手取付空間を大きく取るとともに、スライドファスナーを閉じようとして引手を後方に引っ張ったとき、引手の停止位置が引手取付杆の先端フック状湾曲部に納まるように案内する案内面となる。【０００９】
かかる構成を備えた前記スライダーにあって、スライダー胴体に引手を取り付けるには、上記引手取付杆の自由端部と前記上翼板との間の挿通間隙に引手の取付軸部を挿入し、次いで前記閉塞部材を上翼板の上面に形成された上記凹溝の入口に肩部から挿入して奥へと押し込む。この押込み時、引手取付杆の先端が上記弾性片部の上面を上から押圧して弾性片部を下方に弾性変形させる。弾性片部の係脱段部が前記変形状態を維持しながら引手取付杆の係着段部との係着位置に達すると、引手取付杆の先端面による上方からの押圧が解かれて、弾性片部が原形に弾性復帰し、弾性片部の係脱段部が引手取付杆の係着段部に係止され、引手の取付けが完了する。引手が取り付けられたスライダーから、引手を取り外すには、前記弾性片部の後端上面を押圧して弾性変形させて前記係脱段部と係着段部との係着を外し、閉塞部材を上翼板上面に形成された上記凹溝に沿って手前に移動させ、引手の取付軸部を引手取付杆の自由端と上翼板との間の挿通間隙から抜き出す。【００１０】
また、この特許文献２に示された閉塞部材の第２番目の例によれば、スライダー胴体における上翼板の肩口側端部（前端部）上面に引手取付杆を片持ち状に固設され、その後端と上翼板との間に引手の取付軸部を挿脱可能な挿通間隙を有している。また、引手取付杆の先端には後方に水平に突出する１本の有頭ピン部を有している。前記上翼板の後端部表面を所要の高さ欠落させて欠落部を形成し、その残部の幅方向中央部に上方に開口し左右にアリ溝を有する、閉塞部材の後述する本体部が挿入される本体挿入空間が形成されている。前記本体挿入空間の底面は前記欠落部の床面と同一平面上に配されている。この本体挿入空間の底面及び前記欠落部の表面幅方向中央には、前記閉塞部材の前記本体部の一部を嵌合して前後に案内する案内溝が形成されている。更に、前記欠落部の前記床面には左右の前記アリ溝部の後端面と対峙して起立する左右突部が配されている。【００１１】
一方、特許文献２に記載された前記第２の例による閉塞部材は、上翼板の左右の上記アリ溝部に嵌挿して水平に装着される矩形平板状の本体部と、該本体部の前端から上方に側面視でＳ字状に湾曲して立ち上がる上下方向に弾性変形が可能な弾性片部と、この弾性片部の自由端中央部に形成された前後に貫通する孔部と、前記本体部から後方に向けて二股に分岐して末広がりに水平に延びる左右一対の脚部と、各脚部の先端に設けられ互いに離間する左右の方向に突出する係着突片と、前記本体部の下面幅方向中央部に直線的に突出して延びる突出条部とを有している。この突出条部は、上翼板の幅方向中央部床面に形成された上記案内溝に嵌め込まれて前後方向に摺動案内される。前記孔部は、引手取付杆の先端に形成された上記有頭ピン部の頭部に抜脱可能に係脱する。左右一対の前記脚部は、左右方向（スライダー幅方向）に弾性変形が可能である。【００１２】
かかる構成にあって、スライダー胴体に引手を取り付けるには、引手取付杆の自由端と上翼板との間の挿通間隙を通して引手の取付軸部を引手収容空間に挿入し、上翼板上面の上記アリ溝部に閉塞部材の本体部と左右脚部とを嵌め込み前方へと移動させる。その移動の途中で閉塞部材の弾性片部上端の孔部に、引手取付杆の自由端部先端から突出する上記有頭ピン部を挿通して係着させる。前記アリ溝に案内されて前方へと移動する左右一対の脚部は、前進するにつれて弾性変形して左右の間隔が狭まり、Ｓ字状の弾性片部の前方湾曲面が上翼板の上記本体挿入空間の奥壁面に衝接するまでの間に、左右脚部の先端に設けられた上記係着突片の先端間の間隔を、上翼板の欠落部上面に起立する左右突部の対向間隙よりも狭まるよう強制的に弾性変形させる。この弾性変形の状態で閉塞部材の送りを続けて、左右の前記係着突片が上翼板の左右アリ溝の後端面近傍と前記左右突部との間の隙間位置に達すると、その弾性変形力が解除されて前記係着突片が前記隙間に自動的に侵入し、閉塞部材のそれ以上の前進及び後退が阻止される。一方、引手をスライダー胴体から取り外すには逆の煩雑な操作をしなければならず、先に述べた第１の例と比較すると簡単には引手が取り外しにくいものの、取り外すことは可能である。【００１３】
ところで、特定の用途に使われる特殊な構造を有するスライダーに、例えば実開昭５３−３６９０３号公報（特許文献３）に開示された施錠スライダーがある。このスライダーは、例えば引手に強い力が掛かりやすい鞄類に多く使われており、一対の施錠スライダーの肩口を向かい合わせの状態でスライドファスナーチェーンに装着している。この一対の各施錠スライダーの上翼板肩口側の中央端部に錠挿通孔が形成された半円状の金属リングからなる施錠金具の半部を上翼板から外側に突出させた形態で、上翼板に一体的に取り付けられている。いざ施錠するにあたっては、前記一対の施錠金具の各錠挿通孔を重ね合わせて、各錠挿通孔に錠杆を挿通させて施錠する。【００１４】
前記特許文献３に記載されたスライダーも特許文献１〜２と同様、いずれもアルミ合金や銅合金、亜鉛合金などの金属材料で構成されている。その理由は、金属類は他の材料に比して剛性と強度が高く、しかも耐磨耗性に優れており、更には塑性変形することから、例えばダイキャスト成形とプレス加工や加締め加工、切削加工などの機械加工とを組み合わせて加工したり、あるいはそれらの単独加工により所望の製品が得られるためである。例えば上記特許文献１にあっても、スライダー胴体をダイキャストで成形したのち、引手の取り付けにあたっては上翼板の上面肩口側の左右隅部に起立する一対の短片を、その先端が接近する方向に押圧して屈曲させる、いわゆる加締め加工がなされている。
【先行技術文献】
【特許文献】
【００１５】
【特許文献１】ＷＯ２０１０／０５８４６５Ａ１
【特許文献２】ＷＯ２０１１／０８６７０３Ａ１
【特許文献３】実開昭５３−３６９０３号公報
【発明の概要】
【発明が解決しようとする課題】
【００１６】
前記特許文献１又は２により提案されたスライダーでは、上述のように、スライダー胴体に閉鎖体又は閉塞部材を上下左右及び後方への移動を抑制して固設し、スライダー胴体の上翼板と引手保持体又は引手取付杆の自由端部との間に形成される挿通間隙を閉塞して引手の取り付けが終了する。また、こうしてスライダー胴体に取り付けられた引手を別の引手と交換しようとするときは、上述のとおり、スライダー胴体から先に取り付けられている引手を取り外して、新たな引手と交換して取り付けることが可能である。【００１７】
しかして、例えば上記特許文献１により提案された全てのスライダーの構造例によれば、いずれも閉鎖体が後方に向かう移動は、スライダー胴体の上翼板上で９０°加締められたストッパーとして機能する突出短片により阻止されるものの、コイルスプリングによる弾力に打ち勝つ強い力が閉鎖体の後方から前方に向けて働くと、閉鎖体は前方へと移動する。そのため、閉鎖体により閉鎖されているはずのスライダー胴体の上翼板と引手保持体の自由端部との間の挿通間隙が改めて形成されてしまい、そこから引手が抜け出るおそれがある。更に、スライダーの組み立て時に、突出短片の加締め加工を行う必要があるため、組み立て作業が煩雑になり易いという欠点もあった。【００１８】
また、一方の特許文献２に開示された第１番目のスライダー構造例について見ると、閉塞部材を上翼板上面の上記凹溝に嵌め込んで同凹溝に固定する手段は、上翼板上面に形成された前記凹溝の左右の内壁面及び奥壁面と、凹溝の底面と、引手取付杆の先端フック状湾曲部の係着段部の段差面と、閉塞部材における弾性片部の係脱段部の頂部に形成された段差面である。すなわち、閉塞部材の上翼板への固定は、上翼板の凹溝の奥壁面、その左右内壁面の前面及び左右側面に密接による左右及び前方への移動規制と、前記係着段部及び係脱段部の段差面同士の係止による後方への移動規制と、凹溝の底面、引手取付杆の係着段部及び閉塞部材の係脱段部の係着による単なる上下方向の規制であるに過ぎない。【００１９】
そのため、スライドファスナーを開くとき、例えば引手に後方に向かう斜め上方の強い力がかかったとき、引手の自由端部が持ち上がり、前記係着段部及び係脱段部の係止が外れてしまうと、閉塞部材の後方への移動規制が解かれ、閉塞部材が後方へと移動して、引手の自由端部と上翼板との間の挿通間隙から引手がスライダー胴体から脱落する懸念がある。また、同挿通間隙と閉鎖体との間に隙間ができて、布片や紐などのスライダー周辺の他部材を噛み込みかねない。更に、その押圧されたストッパー又は閉塞部材が元の閉塞状態に戻ろうとする力によって、ストッパー又は閉塞部材と引手取付杆の自由端部との間に他部材が挟み込まれることがあった。【００２０】
また、上記特許文献２に開示された２番目のスライダー構造例では、閉塞部材は、上述のとおり、上翼板上面の上記アリ溝部に閉塞部材の本体部と左右脚部とが嵌め込まれ、閉塞部材の弾性片部上端の孔部が、引手取付杆の自由端部先端から突出する上記有頭ピン部に挿通係着されている。また、上記左右一対の脚部は、Ｓ字状の弾性片部の前方湾曲面が上翼板の上記本体挿入空間の奥壁面に衝接した状態で、左右脚部の先端に設けられた上記係着突片が上翼板の左右アリ溝の後端面近傍と前記左右突部との間の隙間に侵入し、閉塞部材のそれ以上の前進及び後退を阻止している。【００２１】
しかるに、この状態にあって引手に後方に向かう斜め上方の強い力が加えられて、引手取付杆の自由端部が上方に持ち上げられると、本来が上下方向に弾性変形しやすいＳ字状の弾性片部も一緒になって弾性変形して上方に伸び上がる。この状態で引手に掛かっていた前記強い力が消去されると、引手取付杆の自由端部が元の位置に戻ると同時に弾性片部も元の姿に戻る。このとき，引手取付杆の自由端部と弾性片部の上端部との間にたまたま周辺の他部材が噛み込まれると、スライダーの円滑な摺動が妨げられる。更に、当該スライダー構造では、スライダーの組み立て作業が前述のように煩雑になるという欠点があった。また、閉塞部材が外力を受けたときに、閉塞部材の弾性片部上端の孔部が引手取付杆の有頭ピン部から外れて、引手取付杆から引手が脱落する虞もあった。【００２２】
一方、例えば上記特許文献３に開示された金属製の施錠スライダーについて見ると、特許文献１及び２に記載された一般の金属製スライダーと異なり、一対のスライダーが使われるだけでなく、各スライダーの胴体にリング体からなる施錠金具が一体に取り付けられている。更には施錠時は前記一対のスライダーに加えて錠が取り付けられる。そのため錠付きスライドファスナー全体の重量が増え、更なる軽量化の要求に応えきれなくなってきている。【００２３】
本発明は、こうした従来の課題に鑑みてなされたものであって、その具体的な目的は、スライダー胴体に配された引手取付杆に引手を後から容易に取り付けて、スライダーの組立作業を容易に行うことができ、且つ、薄手の布片のような他部材が、スライダー胴体の上翼板と引手取付杆の自由端部との間に挟み込まれることが防止でき、更には引手取付杆が引手を介して大きな力を受けても、上翼板と引手取付杆の自由端部との間の引手挿通間隙に介装される閉塞部材により前記上翼板と引手取付杆の自由端部とが強固に固定され、引手取付杆の自由端部の変形を最小限に抑えることができる引手後付けスライダーを提供することを目的としている。本発明の更なる目的は、材質の選択に自由度が大きく、構造が簡単で且つ軽量化が可能で、製造に当たって多様な加工手段が適用できる、スライドファスナー用引手後付けスライダーを提供することにある。
【課題を解決するための手段】
【００２４】
上記目的を達成するために、本発明に係る引手後付けスライダーは、基本的な構成として、上下翼板を有するスライダー胴体の前記上翼板の上面に、引手を保持する引手取付杆が片持状に一体に形成され、前記引手取付杆は、前記上翼板から起立する固定端部と、前記上翼板との間に前記引手の一部が挿通可能な挿通間隙が形成された自由端部とを有し、前記挿通間隙を閉塞する閉塞部材が前記スライダー胴体に配されてなるスライドファスナーの引手後付けスライダーであって、前記スライダー胴体の前記上翼板は、前記閉塞部材を装着する第１装着部を有し、前記引手取付杆の前記自由端部は、前記閉塞部材を装着する第２装着部を有し、前記閉塞部材は、前記上翼板の前記第１装着部に装着される第１被着部と、前記自由端部の前記第２装着部に装着される第２被着部とを有し、前記第１装着部及び前記第１被着部のうちの何れか一方が、第１アリ溝部を有するとともに、他方が、前記第１アリ溝部に挿嵌されて係合する第１挿嵌係合構造を備えた第１挿嵌係合部を有し、前記第２装着部及び前記第２被着部のうちの何れか一方が、第２アリ溝部を有するとともに、他方が、前記第２アリ溝部に挿嵌されて係合する第２挿嵌係合構造を備えた第２挿嵌係合部を有してなることを最も主要な特徴とするものである。【００２５】
特に本発明に係る引手後付けスライダーは、前記第１挿嵌係合構造及び第２挿嵌係合構造のうちの少なくとも一方は、前記閉塞部材の後退方向への移動を阻止する後退移動阻止手段を有し、前記後退移動阻止手段は、弾性部材を介した係着爪による係着を含んでいることを特徴としている。【００２６】
本発明の引手後付けスライダーにおいて、前記第１アリ溝部は、前記上翼板の前記第１装着部に配され、前記第２アリ溝部は、前記自由端部の前記第２装着部に配されていることが好ましい。【００２７】
この場合、前記第１アリ溝部は、前記上翼板の上面から下方に向けて凹設された凹陥部の周壁に、少なくともスライダー幅方向の外側に向けて凹設され、且つ、上下内壁面と溝底面とを備えた第１凹溝条を有し、前記第１凹溝条の前記上内壁面は、前記第１凹溝条の前記溝底面の位置から前記凹陥部側に向けて突出する突片部により構成されていることが特に好ましい。【００２８】
また、本発明の引手後付けスライダーにおいて、前記第２アリ溝部は、前記自由端部におけるスライダー幅方向に向いた左右側面から、スライダー幅方向の内側に向けて凹設され、且つ、上下内壁面と溝底面とを備えた一対の第２凹溝条を有し、各第２凹溝条の前記下内壁面は、前記第２凹溝条の溝底面の位置からスライダー幅方向の外側に向けて突出する突条部により構成されていることが好ましい。【００２９】
この場合、前記閉塞部材は、基板部と、前記基板部から上方に向けて、スライダー幅方向に所定の間隔を空けて起立した一対の起立板片と、前記起立板片の上端部において、互いに接近する方向に伸びた左右翼板とを有し、前記左右翼板は、前記第２被着部として、前記第２アリ溝部の前記一対の第２凹溝条に挿嵌されて係合していることが更に好ましい。【００３０】
更にこの場合、前記閉塞部材は、前記基板部からスライダー幅方向の外側に延設され、前記第１被着部として前記第１アリ溝部の前記第１凹溝条に挿嵌されて係合する一対の平板片部を有し、前記凹陥部と、前記第１アリ溝部の前記第１凹溝条とは、前記上翼板の後口側端部に開口を有し、前記閉塞部材の前記基板部及び前記一対の平板片部は、前記開口を介して、前記凹陥部及び前記第１アリ溝部の前記第１凹溝条に挿入されていることが特に好ましい。【００３１】
特に、前記引手取付杆は、前記固定端部と前記自由端部との間に配された延設部を有し、前記延設部と前記上翼板の上面との間に、引手収容部が配され、前記閉塞部材は、前記左右翼板の対向側面から互いに近接する方向に突出する一対の係着爪を有し、前記第２アリ溝部の前記一対の第２凹溝条における前記引手収容部側の端部に、前記係着爪を収容して係着させる係着空間が配されていることが更に好ましい。【００３２】
また本発明では、前記閉塞部材は、前記一対の平板片部からスライダー幅方向の外側に突出する一対の係着爪を有し、前記第１アリ溝部の前記第１凹溝条よりスライダー長さ方向の肩口側に、前記係着爪を収容して係着させる係着空間が配されていても良い。【００３３】
更に本発明の引手後付けスライダーにおいて、前記第１アリ溝部の前記第１凹溝条、又は、前記第２アリ溝部の第２凹溝条は、スライダー長さ方向の肩口側に向けて下り傾斜して配されていることが好ましい。
【発明の効果】
【００３４】
本発明に係る引手後付けスライダーは、スライダー胴体の上翼板上面に引手取付杆が片持状に固設されており、スライダー胴体の上翼板と引手取付杆の自由端部との間に形成される引手挿通間隙が、閉塞部材により閉塞される構造を有している。また、スライダー胴体の上翼板は、閉塞部材を装着する第１装着部を有し、引手取付杆の自由端部は、前記閉塞部材を装着する第２装着部を有する。更に、閉塞部材は、上翼板の第１装着部に装着される第１被着部と、自由端部の第２装着部に装着される第２被着部とを有する。【００３５】
また本発明において、第１装着部及び第１被着部のうちの何れか一方が、第１アリ溝部を有するとともに、他方が、第１アリ溝部に挿嵌されて係合する第１挿嵌係合構造を備えた第１挿嵌係合部を有している。その上、第２装着部及び第２被着部のうちの何れか一方が、第２アリ溝部を有するとともに、他方が、第２アリ溝部に挿嵌されて係合する第２挿嵌係合構造を備えた第２挿嵌係合部を有している。【００３６】
このような構成を有する本発明の引手後付けスライダー（以下、単にスライダーと言うこともある）では、引手の取付軸部を上翼板と引手取付杆の自由端部との間に形成されている挿通間隙に挿通させた後、上翼板及び引手取付杆の第１及び第２装着部に閉塞部材を容易に装着することができる。特に本発明では、スライダー胴体の上翼板と引手取付杆の自由端部とに対して、加締め加工などの複雑な作業を行うことなく、閉塞部材を、第１及び第２挿嵌係合構造によって係合させて組み付けることができるため、引手を後から取り付けるタイプのスライダーが極めて簡単に組み立てられる。【００３７】
また、上翼板と引手取付杆の自由端部との間に閉塞部材が介装されていることにより、上翼板と引手取付杆の自由端部とが閉塞部材を介して相互に強固に固定されている。このため、例えばスライダーの引手取付杆が引手を介して大きな力を受けても、上翼板に対する引手取付杆の自由端部の位置を閉塞部材で安定して保持でき、引手取付杆の変形を最小限に抑えることができる。【００３８】
従って、本発明では、閉塞部材と、上翼板及び引手取付杆の自由端部とが第１及び第２挿嵌係合構造によって係合していることにより、係合した閉塞部材の上下・左右の動きが阻止される。このため、例えばスライドファスナーの開閉のため、引手を介して引手取付杆に斜め上方に向かう極めて大きな力が掛かることによって、引手取付杆を大きく変形させようとする力が加えられたとしても、閉塞部材が引手取付杆と上翼板とに強固に係合しているため、閉塞部材が第１及び第２装着部から容易に外れることがなく、スライダーを損傷させることもない。【００３９】
しかも、組み立てられた本発明のスライダーは、閉塞部材が、自動的に上下方向の動作及び左右方向の動作が阻止された状態で、スライダー胴体の上翼板と引手取付杆の自由端部とに対してしっかりと係合又は固定された閉塞保持構造を備えている。このため、引手が取り付けられて閉塞部材がスライダー胴体に装着して不動に固定された後には、上翼板と引手取付杆の自由端部との間に設けられた挿通間隙の閉塞状態を保持することができる。これにより、たとえば薄手の布片のような他部材が、スライダー胴体の上翼板と引手取付杆の自由端部との間に侵入して挟み込まれることを防ぐことができる。【００４０】
このため、本発明のスライダーを有するスライドファスナーが衣類や鞄類等の製品に取り付けられて使用された場合に、スライダーに他部材が挟み込まれることに起因する不具合、例えば衣類や鞄類が他部材によって引っ張られたり、スライダーの摺動操作が他部材によって妨げられたりすることを防止できる。ここで、本発明で言う挿通間隙の閉塞状態とは、閉塞部材がスライダー胴体の上翼板と引手取付杆の自由端部との間の挿通間隙に装着され、上翼板と引手取付杆との間に形成される引手の取付軸部の収容空間が閉塞部材によって隙間なく仕切られた状態を言う。【００４１】
なお、本発明に係る引手後付けスライダーの材質は、金属材料に限らず合成樹脂材料も採用できるため、金属材料ではプレス加工や屈曲加工が必要な複雑な構造であっても、射出成形などによる製造が可能となり、また既述した構造を持つ金属製の施錠スライダーを、合成樹脂材料製とすれば大幅な軽量化が達成できる。【００４２】
こうしたスライダーに好適な合成樹脂の代表的な材質としては、ポリアセタール樹脂、ポリアミド樹脂、ポリブチレンテレフタレート樹脂などを挙げることができる。本発明の引手後付けスライダーにあっても、上記特許文献２に開示された後付けスライダーと同様に、閉塞部材がスライダー胴体の第１装着部に被着されたときに、挿通間隙の閉塞状態が保持され挿通間隙に他部材が侵入することはない。【００４３】
また、本発明のスライダーにおいて、引手を引手取付杆に取り付ける方法は特に限定されるものではない。例えば、上述したように、引手を引手取付杆に保持させてから、スライダー胴体の装着部に閉塞部材を装着して固定することによって引手の取り付けを行うことができる。また例えば、引手を引手取付杆に保持させる前にスライダー胴体の第１及び第２装着部に閉塞部材を装着したのち、閉塞部材を僅かに前方に移動させ、上翼板の上面と引手取付杆の自由端との間に改めて引手の前記挿通間隙を形成し、その挿通間隙に引手の取付軸部を挿通したのち、閉塞部材を上翼板及び引手取付杆の第１及び第２装着部へと戻して、閉塞部材の第１及び第２被着部を前記第１及び第２装着部に係着させて閉塞状態にすることも可能である。このとき前記閉塞部材に前方から弾性部材により常に付勢するようにすれば、閉塞部材が妄りに前方へと移動することがない。また前述の閉塞部材を前方へ移動可能な構造を採用すれば、異種の引手と交換することも可能となる。【００４４】
特に本発明のスライダーにおいて、第１挿嵌係合構造及び第２挿嵌係合構造のうちの少なくとも一方は、閉塞部材の後退方向への移動を阻止する後退移動阻止手段を有しており、その後退移動阻止手段は、弾性部材を介した係着爪による係着を含んでいる。これにより、閉塞部材をスライダー胴体の上翼板と引手取付杆の自由端部とに装着する際に、第１及び第２装着部と閉塞部材の第１及び第２被着部とに設けられた上下・左右方向の移動阻止手段及び後退阻止手段が機能し、移動阻止手段に対する格別の操作をすることなく自動的に上下・左右及び後退動作が阻止された状態で、閉塞部材を上翼板及び引手取付杆に装着（固定）できる。また、閉塞部材の装着後には、当該閉塞部材が後退すること（装着方向とは反対の方向に移動すること）を防ぎ、閉塞部材が上翼板及び引手取付杆の自由端部から脱落することを安定して防止できる。【００４５】
このような本発明のスライダーにおいて、前記第１アリ溝部は、上翼板の第１装着部に配され、前記第２アリ溝部は、自由端部の第２装着部に配されている。これにより、スライダーを簡単な構造で構成できる。また、上翼板と引手取付杆の自由端部とに対する閉塞部材の装着を容易に、且つ、安定して行うことができる。【００４６】
この場合、前記第１アリ溝部は、上翼板の上面から下方に向けて凹設された凹陥部の周壁に、少なくともスライダー幅方向の外側に向けて凹設され、且つ、上下内壁面と溝底面とを備えた第１凹溝条を有している。また、その第１凹溝条の上内壁面は、当該第１凹溝条の溝底面の位置から凹陥部側に向けて突出する突片部により構成されている。これにより、閉塞部材の第１被着部を上翼板の第１凹溝条にしっかりと嵌入できるため、第１アリ溝部に安定して係合させることができる。更に、第１アリ溝部に装着された閉塞部材の上下方向の移動を、第１凹溝条の上内壁面を形成する突片部によって規制することができる。このため、スライダーの引手が引っ張られて引手取付杆が強い力を受けても、閉塞部材と上翼板との係合（装着状態）を安定して維持でき、引手取付杆が変形することを効果的に防止できる。【００４７】
また本発明のスライダーにおいて、前記第２アリ溝部は、引手取付杆の自由端部におけるスライダー幅方向に向いた左右側面から、スライダー幅方向の内側に向けて凹設され、且つ、上下内壁面と溝底面とを備えた一対の第２凹溝条を有している。また、各第２凹溝条の下内壁面は、当該第２凹溝条の溝底面の位置からスライダー幅方向の外側に向けて突出する突条部により構成されている。【００４８】
これにより、引手取付杆の自由端部に設けた第２アリ溝部の第２凹溝条に、閉塞部材の第２被着部をしっかりと嵌入できるため、その第２被着部を第２アリ溝部に安定して係合させることができる。更に、第２アリ溝部に装着された閉塞部材の上下方向の移動を、第２凹溝条の下内壁面を形成する突条部によって規制することができる。このため、スライダーの引手が引っ張られて引手取付杆が強い力を受けても、閉塞部材と自由端部との係合（装着状態）を安定して維持でき、引手取付杆が変形することを効果的に防止できる。【００４９】
この場合、前記閉塞部材は、基板部と、基板部から上方に向けて、スライダー幅方向に所定の間隔を空けて起立した一対の起立板片と、起立板片の上端部において、互いに接近する方向に伸びた左右翼板とを有している。また、前記左右翼板は、前記第２被着部として、引手取付杆の自由端部に設けた第２アリ溝部の一対の第２凹溝条に挿嵌されて係合している。これにより、閉塞部材の第２被着部となる左右翼板を、引手取付杆の自由端部に設けた第２アリ溝部に容易に挿入でき、且つ、安定して係合させることができる。【００５０】
更に本発明において、前記閉塞部材は、当該閉塞部材の基板部からスライダー幅方向の外側に延設され、前記第１被着部として、上翼板の第１アリ溝部の第１凹溝条に挿嵌されて係合する一対の平板片部を有している。また、上翼板に配された凹陥部と、第１アリ溝部の第１凹溝条とは、上翼板の後口側端部に開口を有している。これにより、閉塞部材の基板部及び一対の平板片部を、前記開口を介して、上翼板の凹陥部及び第１アリ溝部の第１凹溝条に容易に挿入でき、且つ、安定して係合させることができる。【００５１】
また本発明のスライダーにおいて、引手取付杆は、固定端部と自由端部との間に配された延設部を有しており、その引手取付杆の延設部と上翼板の上面との間には、引手収容部が配されている。また、前記閉塞部材は、左右翼板の対向側面から互いに近接する方向に突出する一対の係着爪を有しており、一方、引手取付杆に設けた第２アリ溝部の一対の第２凹溝条における引手収容部側の端部には、閉塞部材の係着爪を収容して係着させる係着空間が配されている。【００５２】
これにより、閉塞部材をスライダー胴体の上翼板と引手取付杆の自由端部とに装着したときに、閉塞部材に設けた一対の係着爪を、第２アリ溝部に設けた係着空間に安定して係着させることができる。このため、上翼板と引手取付杆とに装着された閉塞部材が、係着爪の係着によって、引手収容部側とは反対の方向（後方）に移動することを防ぎ、閉塞部材の脱落を安定して防止できる。【００５３】
より具体的に説明すると、上述のような構成を有するスライダーにあって引手を取り付けるには、まず引手の取付け軸部を上翼板の上面と引手取付杆の自由端部との間の挿通間隙に通して、その先の引手取付空間に挿通保持する。次いで、閉塞部材の第１被着部における一対の平板片部（フランジ状板片）の先端を、上翼板の第１装着部となる左右の第１アリ溝部に嵌挿する。このとき同時に、閉塞部材の第２被着部となる左右翼片を左右の起立部と一緒に左右方向に弾性的に拡張させながら、前記係着爪を引手取付杆の自由端部に形成した左右の第２アリ溝部に嵌挿させる。【００５４】
この嵌挿操作を続け、第２被着部の左右の前記係着爪が第２装着部に設けた係着空間に達すると、閉塞部材における左右の起立部及び左右翼片が弾性復帰して、当該係着爪が係着空間を構成する壁面（係着面）に係着すると同時に左右翼片が第２アリ溝部内に挿嵌される。このとき、同時に閉塞部材の第１被着部となる一対の平板片部（フランジ状板片）も上翼板の第１装着部となる第１アリ溝部へと挿嵌される。【００５５】
こうして閉塞部材がスライダー胴体及び引手取付杆に装着された後は、第１及び第２アリ溝部における閉塞部材との挿嵌結合は、第１及び第２アリ溝部の溝底が相手部材の左右の移動を阻止するとともに、第１及び第２アリ溝部の上下内壁面が相手部材の上下の移動を阻止する。【００５６】
また、上記係着爪による引手取付杆の自由端部における引手収容部側の端部に対する係着は、閉塞部材の後方への移動を阻止することができる。その結果、スライドファスナーの開閉操作時に、例えば引手に後方に水平あるいは後方の斜め上方に強い力が加わり、閉塞部材を後方に向けて、あるいは引手取付杆の先端湾曲部を内面から斜め上方に向けて強い力が掛かっても、それぞれの力を閉塞部材の第１及び第２被着部と上翼板の第１装着部及び引手取付杆の第２装着部との上記強固な結合力で受けるため、閉塞部材の上下・左右の方向及び後方への移動が妨げられて、引手取付杆の破損を招くような変形は発生しない。【００５７】
以上は、本発明における第１及び第２被着部と第１及び第２装着部との好適な１態様を例示したものであるが、後述するように、この他にも多様な変形が可能である。
例えば本発明のスライダーでは、前記閉塞部材が、一対の平板片部からスライダー幅方向の外側に突出する一対の係着爪を有しており、上翼板に設けた第１アリ溝部の第１凹溝条よりスライダー長さ方向の肩口側に、閉塞部材の係着爪を収容して係着させる係着空間が配されていても良い。【００５８】
このようなスライダー構造によっても、閉塞部材をスライダー胴体の上翼板と引手取付杆の自由端部とに装着したときに、閉塞部材の一対の平板片部にそれぞれ設けた係着爪を、第１アリ溝部側に設けた係着空間に安定して係着させることができる。これにより、上翼板と引手取付杆とに装着された閉塞部材が後方に移動することを防ぎ、当該閉塞部材の脱落を安定して防止できる。【００５９】
また本発明のスライダーにおいては、上翼板に設ける第１アリ溝部の第１凹溝条、又は、引手取付杆の自由端部に設ける第２アリ溝部の第２凹溝条は、スライダー長さ方向の肩口側に向けて下り傾斜して配されている。このような構成を有することにより、閉塞部材をスライダー胴体の上翼板と引手取付杆の自由端部とに装着した後に、引手が引っ張られて引手取付杆が強い力を受けても、閉塞部材がスライダー長さ方向の後口側に向けて移動し難くすることができる。従って、閉塞部材と上翼板及び引手取付杆の自由端部との係合（装着状態）を安定して維持できるため、閉塞部材の脱落をより効果的に防ぐとともに、引手取付杆の変形をより効果的に防止できる。
【図面の簡単な説明】
【００６０】
【図１】本発明の実施例１に係るスライドファスナー用の引手後付けスライダーの分解斜視図である。
【図２】閉塞部材装着前の同スライダーを一部切欠して示す部分側面図である。
【図３】閉塞部材装着完了時の同スライダーを一部切欠して示す部分側面図である。
【図４】閉塞部材装着完了後における同スライダーの要部を示す斜視図である。
【図５】図３のＶ−Ｖ 線に沿った矢視断面図である。
【図６】図３のＶＩ−ＶＩ線に沿った矢視断面図である。
【図７】本発明の実施例２に係るスライドファスナー用の引手後付けスライダーの分解斜視図である。
【図８】閉塞部材装着前の同スライダーを一部切断して示す平面図である。
【図９】閉塞部材装着後の同スライダーを一部切断して示す平面図である。
【図１０】同スライダー胴体に対して閉塞部材を係着する際における係着爪の挙動説明図である。
【図１１】本発明の実施例３に係るスライドファスナー用の引手後付けスライダーの一部を省略して示す後方から見た背面図である。
【図１２】同スライダーの閉塞部材を上部後方から見た斜視図である。
【図１３】閉塞部材装着後の同スライダーの閉塞部材装着部の横断面図である。
【図１４】同スライダーにおける引手取付杆の断面Ｔ字状のアリ溝に対する閉塞部材の挿嵌動作の説明図である。
【図１５】本発明の実施例４に係るスライドファスナー用の引手後付けスライダーの分解斜視図である。
【図１６】閉塞部材装着後の同スライダーの閉塞部材装着部の横断面図である。
【図１７】装着部の前方の引手収容空間に前進させた閉塞部材をその装着部に戻したときの閉塞部材の挙動説明図である。
【図１８】閉塞部材装着前の同スライダーの一部を切欠して示す側面図である。
【図１９】閉塞部材装着後の同スライダーの一部を切欠して示す側面図である。
【図２０】閉塞部材装着後の引手取付け及び取外し手順の説明図である。
【発明を実施するための形態】
【００６１】
以下、本発明の好適な実施の形態について、実施例を挙げて図面を参照しながら更に具体的に説明する。なお、本発明は、以下で説明する各実施例に限らず、本発明と実質的に同一の構成を有し、かつ、同様な作用効果を奏しさえすれば、多様な変更が可能である。
【００６２】
例えば、以下の各実施例において説明するスライダーは、コイル状の連続エレメント列を有するスライドファスナーに使用されるものであるため、フランジが上翼板にのみ配されている。しかし、本発明は、これに限定されるものではなく、例えば単独エレメントが射出成形によりファスナーテープに取着されたスライドファスナーに使用され、上下翼板の両方にフランジが配されたスライダー等についても同様に適用することができる。また、図示実施例にあっては、スライダーの材質について格別に言及しないが、金属及び合成樹脂の何れをも使うことができる。
【実施例１】
【００６３】
図１〜図６は、本発明の実施例１に係るスライドファスナー用の引手後付けスライダー（以後、単にスライダーと称す。）に関し、図１は同スライダーの分解斜視図、図２〜図４は同スライダーの組立て時の説明図、図５は図３のＶ−Ｖ線に沿った矢視断面図、図６は図３のＶＩ−ＶＩ線に沿った矢視断面図である。【００６４】
なお、以下の説明において、スライダー摺動方向を前後方向と規定し、特に、スライダーがスライドファスナーのエレメント列を噛合させるために移動する方向を前方とし、コイル状のエレメント列を分離させるために移動する方向を後方とする。また、スライダーの高さ方向を上下方向と規定し、特に、スライダー胴体に対して引手が取り付けられる側の方向を上方とし、その反対側の方向を下方とする。更に、前方側から見たスライダーの幅方向の左右を左右方向とする。【００６５】
本実施例１のスライダー１は、スライダー胴体１０と、スライダー胴体１０に片持状に一体に固定された引手取付杆２０と、スライダー胴体１０の上面と引手取付杆２０の自由端部２３との間の引手挿通間隙２５に装着される閉塞部材３０と、引手取付杆２０に保持される引手５とを備えている。引手５は、指で摘むことが可能な平板状の引手本体部５ａと、同引手本体部５ａの一端に一体的に形成された環状の取付軸部５ｂとを有している。【００６６】
本実施例１のスライダー１において、スライダー胴体１０、引手取付杆２０、閉塞部材３０及び引手５は、アルミニウム合金、亜鉛合金などの金属材料や、ポリアセタール樹脂、ポリアミド樹脂、ポリブチレンテレフタレート樹脂などを単独で又は組み合わせた合成樹脂材料を使用し、ダイキャスト成形や射出成形によって製造される。なお、本発明において、これらの部材の材質は特に限定されるものではなく、用途に応じて任意に変更することが可能である。【００６７】
ただし、本実施例１における引手取付杆２０は、図１に示すとおり、スライダー１の引手取付杆２０の固定端部２１における前端面右半部に、前方に向けて一体に突設されたリング状の施錠部材２６を有している。この種のスライダーは、上記特許文献３にも記載されているとおり、通常は同一形状を有する２個のスライダーを、その施錠金具が形成された端部同士を向かい合わせにして、図示せぬファスナーチェーンに取付け、施錠金具の中心に形成された施錠孔を重ね合わせて、同施錠孔に図示せぬ錠を挿通して施錠する。従って、単一の金属製スライダーであればともかく、２個の金属製スライダーと錠とを用いるとなると、特に大型の旅行鞄などの重量増加に繋がるため、重量の問題を無視することはできない。【００６８】
本発明に係る上記スライダー１は、金属材料に代わり、全てに合成樹脂材料を使って製造することができる。このように合成樹脂材料を用いてスライダー１を構成することにより、スライダー１の大幅な軽量化を図ることができる。勿論、金属材料で製造してもよいことはで言うまでもない。【００６９】
図１によれば、スライダー１におけるスライダー胴体１０は、互いに略平行に配された上下翼板１１，１２と、上下翼板１１，１２の前端部同士を連結する案内柱１３と、上翼板１１の左右側縁から下翼板１２に向けて垂設されたフランジ１１ａとを有している。【００７０】
同スライダー胴体１０の前部には、案内柱１３を間に挟んで左右に肩口が形成され、スライダー胴体１０の後端には後口が形成されている。また、上下翼板１１，１２間には、左右の肩口と１つの後口とを連通するＹ字状のエレメント案内路１４が形成されている。更に、スライダー胴体１０における上翼板１１の上面側には、上翼板１１の後端（後口側の縁端）から前方に向けて、閉塞部材３０が装着可能な矩形状凹陥部１１ｂが形成されている。この矩形状凹陥部１１ｂは、上翼板１１の上面と平行な底面を有しており、また、本発明における閉塞部材３０を装着する第１装着部の一部として機能する。前記矩形状凹陥部１１ｂの左右壁面及び奥行き方向の前方壁面には連続する第１アリ溝部１１ｃが形成されている。【００７１】
この第１アリ溝部１１ｃは、矩形状凹陥部１１ｂの周りに形成されたコ字状の壁面を備える第１凹溝条を有している。すなわち、第１凹溝条は、矩形状凹陥部１１ｂの周壁（すなわち、左右側壁及び前壁）となる部分に、矩形状凹陥部１１ｂから外側に向けて矩形状凹陥部１１ｂの底面と平行に凹設されている。また、第１凹溝条は、矩形状凹陥部１１ｂの底面と同一の平面となる下内壁面と、下内壁面から連続して形成される溝底面と、溝底面から連続して形成され、下内壁面と平行に配される上内壁面とを有している。【００７２】
この場合、第１凹溝条の空間部（内部空間）の上方に、第１凹溝条の溝底面の位置から凹陥部１１ｂ側に向けて庇状に張り出す突片部１１ｄが配されている。この突片部１１ｄにより、第１アリ溝部１１ｃの第１凹溝条の上内壁面が形成されている。【００７３】
第１アリ溝部１１ｃが、突片部１１ｄにより上内壁面が形成される第１凹溝条を有することにより、閉鎖部材３０の後述するフランジ状板片（平板片部）３２を第１アリ溝部１１ｃの第１凹溝条にしっかりと嵌入して安定して係合させることができるため、上翼板１１に対する閉鎖部材３０の上下方向の動きを効果的に抑止できる。【００７４】
なお本発明において、第１アリ溝部１１ｃの第１凹溝条は、少なくとも凹陥部の左右側壁となる部分にスライダー幅方向の外側に向けて凹設されていれば良く、例えば凹陥部の前壁となる部分に第１凹溝条を設けずに（言い換えると、後方に向けて張り出す前方側突片部１１ｄを設けずに）、スライダー胴体を構成することも可能である。当然、本実施例１のように矩形状凹陥部１１ｂの三方の周壁に第１凹溝条を設けた方が、上翼板１１と閉鎖部材３０との間の係合力を増大できるため、好ましいことは言うまでもない。【００７５】
前記スライダー胴体１０に、上翼板１１の前端部（スライダー１の前後方向中央よりも前方側）から起立する固定端部２１と、同固定端部２１から屈曲して後方に延びる延設部２２と、同延設部２２から上翼板１１に向けて下方に屈曲する自由端部２３とを有する引手取付杆２０が一体に設けられている。本実施例１では、引手取付杆２０の前記固定端部２１がスライダー胴体１０の成形と同時に上翼板１１の上面に一体成形されている。【００７６】
この引手取付杆２０がスライダー胴体１０に成形一体化されていることにより、引手取付杆２０の固着強度を高めることができ、引手取付杆２０に引手５が取着された後に同引手５が強く引っ張られたときに、その引張り力によって引手取付杆自体の変形を効果的に防止できる。【００７７】
また本実施例１において、引手取付杆２０は、図２に示すように、側面側から見たときに全体として下向きの横Ｃ字形状を呈しており、同引手取付杆２０の上記延設部２２における下端面と上翼板１１の上面との間には、引手５の取付軸部５ｂを収容保持する収容空間２４が形成されている。【００７８】
同引手取付杆２０の自由端部２３は、図１に示すように、上翼板１１の上面との間に引手５の取付軸部５ｂを挿通させることが可能な挿通間隙２５を有するように形成されている。また、引手取付杆２０における自由端部２３の左右側面には、上翼板１１の上面に対し、前方に向けて僅かに下り傾斜した第２アリ溝部２３ａが形成されている。換言すれば、第２アリ溝部２３ａは、引手収納空間２４側に向けて下り傾斜している。【００７９】
この第２アリ溝部２３ａは、自由端部２３の左右側面から、スライダー幅方向の内側に向けて凹設された一対の第２凹溝条を有している。この第２凹溝条は、下内壁面と、下内壁面から連続して形成される溝底面と、溝底面から連続して形成され、下内壁面に対向して配される上内壁面とからなるコ字状の壁面を備えている。この場合、各第２凹溝条の空間部（内部空間）の下方に、当該第２凹溝条の溝底面の位置からスライダー幅方向の外側に突出する突条部２３ｃが配されている。この突条部２３ｃにより、第２アリ溝部２３ａの第２凹溝条の下内壁面が形成されている。【００８０】
第２アリ溝部２３ａが、突条部２３ｃにより下内壁面が形成される第２凹溝条を有することにより、閉鎖部材３０の後述する左右翼片３３ａを第２アリ溝部２３ａの第２凹溝条にしっかりと嵌入して安定して係合させることができるため、自由端部２３に対する閉鎖部材３０の上下方向の動き（又は、閉鎖部材３０に対する自由端部２３の上下方向の動き）を効果的に抑止できる。【００８１】
また、自由端部２３における第２アリ溝部２３ａの引手収納空間２４側端部（前端部）には、更に当該第２アリ溝部２３ａの深さを深くする方向に矩形状に切欠し、後述する閉塞部材３０の係着爪３３ｂが係着する段差部からなる係着空間２３ｂに係着面を形成している。この第２アリ溝部２３ａと係着空間２３ｂとが、閉塞部材３０の後述する左右の翼片３３が挿嵌して固定される第２装着部の一部となる。なお、前記引手取付杆２０の前記自由端部２３における第２アリ溝部２３ａと、前記上翼板１１に形成された前記凹嵌部１１ｂの第１アリ溝部１１ｃとの各後端開放口や、これらの第１アリ溝部１１ｃ及び第２アリ溝部２３ａの挿嵌端の稜線部には面取りがなされている。【００８２】
この面取りにより、第１アリ溝部１１ｃと第２アリ溝部２３ａに相手方の結合部材（すなわち、閉塞部材３０の後述する第１被着部及び第２被着部）を挿嵌するにあたって挿入しやすくできるとともに、上翼板１１の上記凹嵌部１１ｂに閉塞部材３０を挿入するときに、同閉塞部材３０の上端に形成された後述する左右の係着爪３３ｂを水平方向に容易に弾性変形させることを可能にする。【００８３】
この実施例１における前記閉塞部材３０は、上翼板１１の上記凹嵌部１１ｂの内壁面に形成された上記第１アリ溝部１１ｃに挿嵌して装着される基板部３１と、矩形基板部３１の左右側縁及び前端縁から外側に向けて三方に張り出すように平行に延設されるコ字型のフランジ状板片３２と、前記基板部３１の左右上面から互いに平行に立ち上がる左右一対の起立板片３３と、同起立板片３３の上端内側面から向き合う方向に延びる左右翼片３３ａと、その左右翼片３３ａの前端部の対向側面に向けて突出する係着爪３３ｂとから構成されている。ここで、前記左右の起立板片３３は、本発明の弾性部材にあたり、左右方向に弾性変形が可能である。本実施例１では、左右一対の係着爪３３ｂにおける係着空間２３ｂの係着面に対する係着により、閉塞部材３０が後方へ移動する（後退する）ことを阻止する後退移動阻止手段が構成されている。【００８４】
以上の構成部材を使って本実施例１のスライダー１を組み立てるには、図２に示すように、まず引手取付杆２０の自由端部２３と上翼板１１の上面との間の引手挿通間隙２５を通して、引手５の取付軸部５ｂを引手取付杆２０の延設部２２と上翼板１１の上面との間の収容空間２４に収容保持する。次いで、図３に示すように、閉塞部材３０のコ字型のフランジ状板片３２を上翼板１１の凹陥部１１ｂの内壁面（内周面）に形成された第１アリ溝部１１ｃに挿嵌するとともに、閉塞部材３０の起立板片上端の左右翼片３３ａを引手取付杆２０の自由端部２３に形成された左右の第２アリ溝部２３ａに挿嵌する。【００８５】
引手取付杆２０の左右の第２アリ溝部２３ａに閉塞部材３０の左右翼片３３ａを挿嵌するとき、始めに左右の第２アリ溝部２３ａの溝底間のスライダー幅方向の寸法が左右の係着爪３３ｂの先端間の間隙寸法よりも大きいため、左右の起立板片３３は弾性変形して左右に拡がりながら挿嵌操作が行われる。このとき、前記係着爪３３ｂの先端面が弧状に形成されているため、係着爪３３ｂの先端面を第２アリ溝部２３ａに向けて押し付けるように閉塞部材３０の挿嵌操作を行うと、係着爪３３ｂの弧状面が第２アリ溝部２３ａによって左右へと導かれて、一対の起立板片３３が自動的に左右へと弾性変形し、左右の係着爪３３ｂの間隔が左右へと拡がる。【００８６】
この状態で閉塞部材３０の挿嵌操作を続ける間に、前記係着爪３３ｂが第２アリ溝部２３ａの先端部に形成された段差部からなる爪係着部に達すると、左右に広げる力が失われて左右の起立板片３３が原形に弾性復帰し、同時に前記左右の係着爪３３ｂが段差部からなる爪係着部の係着空間２３ｂに嵌まり込んで係着する。このとき同時に閉塞部材３０の基板３１から前方に延出するフランジ状板片３２の前端面が上翼板１１の凹陥部１１ｂの三方壁面に形成された第１アリ溝部１１ｃの奥壁面に密接し、閉塞部材３０の第１アリ溝部１１ｃに対する挿嵌操作が終了する。これにより、スライダー胴体１０や引手取付杆２０に加締め加工が行われることなく、図４〜図６に示すように、スライダー１を容易に組み立てることができる。【００８７】
こうして組み立てられたスライダー１にあって、スライダー胴体１０に配された第１装着部である凹嵌部１１ｂの第１アリ溝部１１ｃと、引手取付杆２０に配された第２装着部である第２アリ溝部２３ａ及び爪係着部の係着空間２３ｂとに、閉塞部材３０の基板部３１から延出する第１被着部であるコ字型のフランジ状板片３２と、閉塞部材３０の第２被着部である起立片上端に形成された左右翼片３３ａ及び係着爪３３ｂとが、それぞれ強固に係着し、閉塞部材３０とスライダー胴体１０の上翼板１１及び引手取付杆２０との間で、上下・左右及び後方への相対的な動きが阻止された状態で結合固定される。【００８８】
すなわち、本実施例１における閉塞部材３０とスライダー胴体１０及び引手取付杆２０の主たる結合が、スライダー胴体１０及び引手取付杆２０の第１アリ溝部１１ｃ及び第２アリ溝部２３ａと、当該第１アリ溝部１１ｃ及び第２アリ溝部２３ａに挿嵌結合される閉塞部材３０との結合部であるため、上下左右の動きが阻止され、また引手取付杆２０の第２アリ溝部２３ａ内に形成された係着面と閉塞部材３０の係着爪３３ｂとの係着により閉塞部材３０の後方への動きも同時に阻止される。【００８９】
このため、閉塞部材３０がスライダー胴体１０及び引手取付杆２０の双方を強固に連結して、例えば引手５に閉塞部材３０をスライダー胴体１０及び引手取付杆２０から外そうとする強い力がかかったとしても、閉塞部材３０はその固定位置に不動のままとなり、特に引手取付杆２０に大きな変形をもたらすことがなくなる。しかも、第２アリ溝部２３ａが前方に下り傾斜しているため、引手取付杆２０に上述のような強い力が加えられたときに、閉塞部材３０に前進方向への力が与えられるため、閉塞部材３０の脱落をより効果的に防止できる。
【実施例２】
【００９０】
図７〜図１０は、本発明の実施例２に係るスライドファスナー用の引手後付けスライダーの説明図である。図７は、当該スライダーの分解斜視図であり、図８は、同スライダーの引手取付杆における固定端部を水平に切断して示す組立て前の上面図、図９は同スライダーにおける引手取付杆の固定端部と閉塞部材の起立板片とを水平に切断して示す組立て後の上面図である。
なお、以降に述べる実施例の説明において使用する図面の引出符号は、実質的に同一の構成及び機能を有する部材及び部位については、既述した実施例１と同一の符号と名称を用い、その詳細な説明は省略する。【００９１】
本実施例２のスライドファスナー用の引手後付けスライダー（以降、単にスライダーと称す。）２は、スライダー胴体４０と、スライダー胴体４０に片持状に一体に形成された引手取付杆５０と、スライダー胴体４０に装着される閉塞部材６０と、引手取付杆５０に保持される、図示を省略した引手５とを備えている。
同スライダー２におけるスライダー胴体４０は、図７に示すように、互いに平行に配された上下翼板４１，４２と、上下翼板４１，４２の前端部同士を連結する案内柱４０ａと、上翼板４１の左右側縁から下翼板４２に向けて垂設された左右フランジ４１ａとを有している。【００９２】
このスライダー胴体４０における上翼板４１の後半部上面には、図７及び図８に示すように、本発明の第１装着部である略矩形状の凹陥部４１ｂが形成されており、この凹陥部４１ｂの左右及び前方の内壁面には、断面コ字状の壁面を備えた第１アリ溝部４１ｃ〜４１ｅが形成されている。【００９３】
本実施例２における第１アリ溝部４１ｃ〜４１ｅは、前述の実施例１における第１アリ溝部１１ｃと同様に、凹陥部４１ｂの周りに形成された第１凹溝条と、その第１凹溝条の空間部（内部空間）の上方に配され、第１凹溝条の溝底面の位置から凹陥部４１ｂ側に向けて庇状に張り出す突片部４１ｈ〜４１ｊとを有している。【００９４】
また、同凹陥部４１ｂの前端部における左右隅部には扇形の切欠き部４１ｆが連設されている。この切欠き部４１ｆのスライダー幅方向（左右方向）における外側の位置は、前記左右の第１アリ溝部４１ｃ，４１ｄの溝底面の位置よりもスライダー幅方向の外側に設定されており、前方の第１アリ溝部４１ｅの底面までの溝深さは左右の第１アリ溝部４１ｃ，４１ｄの溝深さより深く形成されている。なお、前記扇形の切欠き部４１ｆは射出成形が容易で且つ確実になされるため形成されている。【００９５】
このスライダー胴体４０の上翼板４１に片持ち状に固設された引手取付杆５０は、上翼板４１の前端部から起立する固定端部５１と、同固定端部５１から屈曲して後方に延びる延設部５２と、同延設部５２から上翼板４１側に屈曲して形成された自由端部５３とを有している。引手取付杆５０の延設部５２における下面と上翼板４１の上面との間には、引手５の取付軸部５ｂを収容する収容空間５４が形成されている。【００９６】
また、同引手取付杆５０の自由端部５３は、図７に示すように、上翼板４１の上面との間に引手５の取付軸部５ｂを挿通させることが可能な挿通間隙５５が形成されている。更に、引手取付杆５０における自由端部５３の後端屈曲下端部には左右一対の第２装着部としての断面コ字状の壁面を備えた第２アリ溝部５３ｂが前後に貫通して形成されている。【００９７】
本実施例２の第２アリ溝部５３ｂは、前述の実施例１における第２アリ溝部２３ａと同様に、自由端部５３の左右側面から、スライダー幅方向の内側に向けて凹設された一対の第２凹溝条と、各第２凹溝条の空間部よりも下方に配され、且つ、一対の第２凹溝条の溝底面の位置からスライダー幅方向の外側に突出する一対の突条部５３ｃとを有している。なお、この実施例２のスライダー２にあっても、図７及び図８に示すとおり、前述の実施例１と同様に、施錠部材５６を備えている。【００９８】
本実施例２における閉塞部材６０は、図７及び図８に示すように、上翼板４１の前記第１アリ溝部４１ｃに挿嵌されるＵ字型の水平基板６１と、水平基板６１の後端部から前部まで平行に延びて起立する左右一対の起立板片６３と、同起立板片６３の各上端から互いに接近する方向に水平に延びる左右翼片６３ａとを有している。【００９９】
本実施例２において、上記実施例１と異なる点は２点あり、その一つは、実施例１では引手取付杆２０の自由端部２３に形成された左右の第２アリ溝部２３ａに挿嵌されて前端係着空間２３ｂに係着する左右の係着爪３３ｂが起立板片３３の上端翼片３３ａから内側に突出しているが、本実施例２では、左右の係着爪６１ｂが起立板片６３の上端ではなく、前記Ｕ字型の水平基板６１の前方及び左右外側に平行に且つ水平に延びる左右平板部分６１ａの前端部から互いに離間する外側方向に水平に突出させている点にある。【０１００】
また、相違する２点目は、前述のとおり、前記起立板片６３の上端に形成された第２被着部である左右翼片６３ａに係着爪が形成されていないことから、左右翼片６３ａが挿嵌される引手取付杆５０の自由端部５３に形成された第２装着部としての第２アリ溝部５３ｂの前端部にも係着爪の係着する係着空間が形成されていない。【０１０１】
前記閉塞部材６０を前記スライダー胴体４０と引手取付杆５０に装着固定するには、スライダー胴体４０の上翼板４１と引手取付杆５０の自由端部５３との間の引手挿通間隙５５に引手５の取付軸部５ｂを挿通させて、引手取付杆５０の延設部５２と上翼板４１の上面との間に形成された収容空間５４に、引手５の取付軸部５ｂを収容保持させる。そのあと、図８に示すように、まずスライダー胴体４０の上翼板４１に形成された左右の第１アリ溝部４１ｃ，４１ｄに、閉塞部材６０のＵ字型の水平基板６１における左右平板部分６１ａの先端部に形成された左右の係着爪６１ｂを対峙させる。次いで、各係着爪６１ｂを前記第１アリ溝部４１ｃ，４１ｄに挿嵌させる。【０１０２】
ここで、前記係着爪６１ｂの形状は上翼板４１に形成された扇形の上記切欠き部４１ｆに対応するような形状をもつ扇形に形成してある。この切欠き部４１ｆの高さ位置と凹陥部４１ｂの底部の高さ位置との間に形成される空間部分が、前記係着爪６１ｂが係着する係着空間４１ｇを構成する。また、この左右係着爪６１ｂの左右側縁間の間隔（幅方向の端縁間の間隔）は、上翼板４１における左右の第１アリ溝部４１ｃ，４１ｄの溝底間の寸法よりも大きくされている。一方、前記Ｕ字型の水平基板６１、その水平基板６１から水平に前方側及び左右外側に延びる左右平板部分６１ａ、及び前記起立板片６３は、左右に弾性変形が可能であって、水平基板６１の前端部（先端部）間の左右間隔を拡縮することが可能である。【０１０３】
そのため、左右一対の前記係着爪６１ｂを凹陥部４１ｂの第１アリ溝部４１ｃ，４１ｄに挿嵌させるとき、始めは係着爪６１ｂの突出端が第１アリ溝部４１ｃ，４１ｄの各溝底と干渉するが、係着爪６１ｂの円弧面が前記溝底に案内されて、図１０に仮想線で示すように、左右の水平基板６１及び平板部分６１ａが互いに接近する方向（内側）へと横からの押圧力を受けて弾性変形した状態で前方へと押し込まれる。【０１０４】
この押し込み操作を続けて、左右の係着爪６１ｂが左右の上記扇形切欠き部４１ｆの下方に形成された係着空間４１ｇの位置に達すると、第１アリ溝部４１ｃ，４１ｄの溝底による横からの前記押圧力が解かれるため、図９及び図１０に示すように、左右の係着爪６１ｂがＵ字型の水平基板６１、平板部分６１ａ及び起立板片６３とともに原形に弾性復帰して、前記左右の係着空間４１ｇの係着面に係着すると同時に、左右の平板部分６１ａの前端部及び扇形の左右係着爪６１ｂの前端部が、前方側の第１アリ溝部４１ｅ内に挿嵌される。これにより、閉塞部材６０は上下・左右方向の動きと後退動とが確実に止められる。【０１０５】
以上のように、本実施例２のスライダー２は、実施例１と同様に構造が簡単であり、加締め加工等の煩わしい作業を行うことなく、スライダー胴体４０に引手５を後から容易に取り付けることができる。このため、例えばスライダー胴体４０、閉塞部材６０及び多種の引手５をセットにして衣服や鞄のメーカー側に引き渡すことによって、衣服や鞄のメーカー側でスライダーの組立作業を容易に行うことができるので、所望のデザインを有する引手５を選択してスライダー胴体４０に自由に取り付けることが可能となる。【０１０６】
更に、本実施例２のスライダー２では、閉塞部材６０を介して引手取付杆５０の自由端部５３とスライダー胴体４０の上翼板４１とが強固に固定されるため、たとえ引手５に前方の斜め上方に向かう強力な力が加わって、閉塞部材６０はスライダー胴体４０の上翼板４１及び引手取付杆５０の自由端部５３に形成されたアリ溝結合により、閉塞部材６０の上下・左右の動きが確実に阻止される。【０１０７】
また同時に、閉塞部材６０の水平基板６１の左右平板部分６１ａの前端部から左右外側に突出する扇形の係着爪６１ｂと、上翼板４１に形成された係着空間４１ｇの係着面（左右の第１アリ溝部４１ｃ，４１ｄの先端に配される係着面）との係着により閉塞部材６０の後方への移動が確実に阻止される。
【実施例３】
【０１０８】
図１１〜図１４は、実施例３に係るスライドファスナー用の引手後付けスライダーの説明図面である。これらの図において、スライダーの下翼板は図示を省略している。図１１は、スライダーのスライダー胴体と同スライダー胴体に固設された引手取付杆とを後口側から見た背面図であり、図１２は閉塞部材を後方斜め上方から見た斜視図、図１３はスライダー胴体及び引手取付杆に閉塞部材を装着したスライダーの一部横断面図、図１４は図１３のXIV-XIV 線に沿った矢視断面において閉塞部材の挿嵌動作を説明する説明図である。【０１０９】
本実施例３のスライドファスナー用の引手後付けスライダー（以降、単にスライダーと称す。）３は、図１３を参照して、スライダー胴体７０と、スライダー胴体７０の上翼板７１の一端部に片持状に一体に固設された引手取付杆８０と、スライダー胴体７０の上翼板７１と引手取付杆８０の自由端部８３との間に装着され上下・左右方向及び後方への動きを阻止して介装される閉塞部材９０と、図示を省略した引手５とを備えている。【０１１０】
同スライダー３におけるスライダー胴体７０は、互いに略平行に配された上翼板７１及び図示しない下翼板と、上下翼板の前端部同士を連結する案内柱７２と、上翼板７１の左右側縁から下翼板に向けて垂設されたフランジ７３とを有している。
このスライダー胴体７０における上翼板７１の後端部の上面には、図１１に示すように、前方に向けて平行に延びる、後口から見てＬ字断面及び逆Ｌ字断面の左右一対の第１アリ溝部７１ｃ，７１ｄが所定の間隔をおいて形成されている。一方、上記引手取付杆８０は、上翼板７１の前端部から起立する固定端部８１と、同固定端部８１から屈曲して後方に延びる延設部８２と、同延設部８２から上翼板４１の上面に向けて屈曲する自由端部８３とを有している。その自由端部８３の下半部中央には、同じく図１１に示すように、断面Ｔ字状の第２アリ溝部８３ａが前後に貫通して形成されている。この実施例３では、上記上翼板７１に形成された左右一対の第１アリ溝部７１ｃ，７１ｄが第１装着部であり、引手取付杆８０に形成された断面Ｔ字状の第２アリ溝部８３ａが第２装着部である。【０１１１】
上記閉塞部材９０は、図１２に示すとおり、直方体からなるブロック状本体９１と、同ブロック状本体９１の上面中央から上方に立ち上がり、左右外方に延びるＴ字断面の起立部９２とを有している。このＴ字断面の起立部９２は、ブロック状本体９１の前端から後端にかけて形成されており、所定の幅寸法を有する基部と、基部の上部に配され、基部よりも大きな幅寸法を有する上部平板部９２ａとを備える。【０１１２】
また、起立部９２における上部平板部９２ａの前端側面には、幅方向外側に突出する左右の係着爪９２ｂが配されている。前記ブロック状本体９１の下端部中央には、Ｔ字断面の空間部が形成されることにより、上記上翼板７１のＬ字断面及び逆Ｌ字断面の左右一対の上記第１アリ溝部７１ｃ，７１ｄに挿嵌される左右の挿嵌部９３が配されている。本実施例３では、閉塞部材９０におけるＴ字断面の前記起立部９２が第２被着部に当たり、前記左右一対の挿嵌部９３が第１被着部に当たる。【０１１３】
以上の構成部材からなる実施例３に係るスライダー３を組み立てるには、まず引手５の取付軸部５ｂを引手取付杆８０の自由端部８３と上翼板７１の上面との間の引手挿通間隙８５に挿入させて、引手取付杆８０の上記延設部８２と上翼板７１の上面との間の引手収容空間に収容保持させる。ここで、閉塞部材９０を引手取付杆８０の自由端部８３と上翼板７１の上面との間の引手挿通間隙８５に装着固定するには、閉塞部材９０のＴ字断面をもつ前記起立部９２（第２被着部）を、引手取付杆８０の自由端部８３に形成されたＴ字断面をもつ第２アリ溝部８３ａ（第２装着部）に対峙させるとともに、閉塞部材９０のブロック状本体９１の下端部に配された左右一対の前記挿嵌部９３（第１被着部）を上翼板７１に形成されたＬ字断面及び逆Ｌ字断面の左右一対の上記第１アリ溝部７１ｃ，７１ｄ（第１装着部）に対峙させる。【０１１４】
次いで、閉塞部材９０を前進させて、前記挿嵌部９３，９３を前記Ｌ字断面及び逆Ｌ字断面の左右一対の第１アリ溝部７１ｃ，７１ｄに当てがうとともに、閉塞部材９０のＴ字断面をもつ第２被着部である前記起立部９２における上部平板部９２ａ及び左右の係着爪９２ｂの前端部を引手取付杆８３のＴ字断面をもつ前記第２アリ溝部８３ａに当てがい、閉塞部材９０を第１アリ溝部７１ｃ，７１ｄ及び第２アリ溝部８３ａの溝内に挿嵌させて摺動前進させる。【０１１５】
このとき、引手取付杆８０の自由端部８３におけるＴ字断面をもつ前記第２アリ溝部８３ａの開放端部側の左右側縁部分（突条部）８３ｂは、図１４に仮想線で示すように、内部から左右外側へと押圧力を受けて外側に弾性変形しながら係着爪９２ｂを前方へと案内する。前記係着爪９２ｂの先端が引手取付杆８０の自由端部８３における前記第２アリ溝部８３ａの奥部終端面を越えて前方に進出すると、図１４に実線で示すように、前記自由端部８３の左右側縁部分８３ｂが上部平板部９２ａの下側に入り込み、前記押圧力が解除されて原形に弾性復帰する。これにより、自由端部８３の左右側縁部分８３ｂ間の左右間隔が縮まると同時に係着爪９２ｂが前記第２アリ溝部８３ａの奥部終端面に係着して組立てが終了する。【０１１６】
本実施例３におけるスライダー３にあっては、上述のとおり極めて構造が簡単であって組立操作が容易であるにも関わらず、第１アリ溝部７１ｃ，７１ｄ及び第２アリ溝部８３ａと閉塞部材９０との結合により、スライダー胴体７０及び引手取付杆８０に対する閉塞部材９０の上下・左右方向への相対的な動きが確実に抑えられると同時に、係着爪９２ｂにより閉塞部材９０の後退動作が阻止されるため、閉塞部材９０がスライダー胴体７０から脱落することがなく、同時引手に対して強力な力が加わった場合も、引手に大きな変形をもたらすことがない。【０１１７】
なお、本実施例３におけるスライダー３では、上翼板７１に設けられる第１装着部が、左右一対の第１アリ溝部７１ｃ，７１ｄにより構成され、引手取付杆８０に設けられる第２装着部が、断面Ｔ字状の第２アリ溝部８３ａにより構成されている。しかし、当該スライダー３では、例えば、上翼板７１に設けられる第１装着部が、左右の第１アリ溝部７１ｃ，７１ｄ間に配される断面Ｔ字状の突出部により構成され、その第１装着部に装着される閉塞部材９０の第１被着部が、ブロック状本体９１の下端部中央に形成されたＴ字断面の空間部（アリ溝部）により構成されている表現することも可能である。【０１１８】
また同様に、引手取付杆８０の自由端部８３に設けられる第２装着部が、第２アリ溝部８３ａの左右に配された左右側縁部分８３ｂにより構成され、その第２装着部に装着される閉塞部材９０の第２被着部が、ブロック状本体９１と起立部９２の上部平板部９２ａとの間に形成される凹溝状の空間部（アリ溝部）により構成されている表現することも可能である。
【実施例４】
【０１１９】
図１５〜図２０は、本発明の実施例４に係るスライドファスナー用の引手後付けスライダー（以後、単にスライダーと称す。）に関し、図１５は同スライダーの分解斜視図、図１６は組立後における同スライダーの横断面図、図１７は図１６のXVII-XVII 線に沿った矢視図、図１８〜図２０は同スライダーの組立て説明図である。
本実施例４のスライダー４は、スライダー胴体１１０と、スライダー胴体１１０に片持状に一体に形成された引手取付杆１２０と、スライダー胴体１１０の上面と引手取付杆１２０の自由端部１２３との間の引手挿通間隙１２５に装着される閉塞部材１３０と、この閉塞部材１３０と前記スライダー胴体１１０との間に介装されるコイルスプリング１４０と、引手取付杆１２０に保持される図示せぬ引手とを備えている。引手は、上記実施例１と実質的に同一の構造を有しているが、本実施例４のスライダー４は、図１５に示すように、閉塞部材１３０と上翼板１１１との間にコイルスプリング１４０を介装している点と、引手取付杆１２０の前端部に施錠部材が付設されていない一般の引手後付けスライダーである点で上記実施例１とは異なっている。【０１２０】
図１５及び図１８によれば、スライダー胴体１１０は、互いに略平行に配された上下翼板１１１，１１２と、上下翼板１１１，１１２の前端部同士を所定の間隔をおいて連結する案内柱１１３と、上翼板１１１の左右側縁から下翼板１１２に向けて垂設された左右一対のフランジ１１１ａとを有している。同スライダー胴体１１０の前部には、案内柱１１３を間に挟んで左右に肩口が形成され、スライダー胴体１１０の後端には後口が形成されている。また、上下翼板１１１，１１２の間には、左右の肩口と１つの後口とを連通するＹ字状のエレメント案内路１１４が形成されている。【０１２１】
更に、スライダー胴体１１０における上翼板１１１の上面側には、上翼板１１１の後端（後口側の縁端）から前方に向けて、閉塞部材１３０が装着可能な第１装着部を構成する矩形状の凹陥部１１１ｂが形成されている。この矩形状凹陥部１１１ｂは、前述の実施例１の凹陥部１１ｂよりも長辺部（前後方向の長さ）が長く設定され、上記案内柱１１３の近くまで延びている。【０１２２】
この凹陥部１１１ｂの左右壁面及び奥行き方向の前方壁面には手前が開放されて連続するコ字状の壁面を備えた第１アリ溝部１１１ｃが形成されている。その奥壁面（溝底面）には、図１８に示すとおり、上記案内柱１１３の前後長さの約半部にまで延びる有底状のスプリング挿入孔１１１ｄが形成されている。【０１２３】
本実施例４において、第１アリ溝部１１１ｃは、矩形状の凹陥部１１１ｂの周りに形成された第１凹溝条と、その第１凹溝条の空間部（内部空間）の上方に配され、第１凹溝条の溝底面の位置から凹陥部１１１ｂ側に向けて庇状に張り出す突片部１１１ｅとを有している。【０１２４】
上記引手取付杆１２０は、上記上翼板１１１の前端部から立ち上がる固定端部１２１と、同固定端部１２１から屈曲して後方に延びる延設部１２２と、同延設部１２２から上翼板１１の上面に向けて下方に屈曲する自由端部１２３とを有している。本実施例４でも、引手取付杆１２０の前記固定端部１２１がスライダー胴体１１０の成形と同時に上翼板１１１の上面に一体に成形されている。また本実施例４における引手取付杆１２０は、側面側から見たときに全体として下向きの横Ｃ字形状を呈しており、同引手取付杆１２０の上記延設部１２２における下面と上翼板１１１の上面との間には、図示せぬ引手の取付軸部を収容保持する収容空間１２４が形成されている。【０１２５】
同引手取付杆１２０の自由端部１２３は、図１５に示すように、上翼板１１１の上面との間に引手５の取付軸部５ｂを挿通させることができる挿通間隙１２５を有している。また、引手取付杆１２０における前記自由端部１２３の左右側面には、前後方向に延びる第２アリ溝部１２３ａがスライダー幅方向内側に向けて凹設されている。【０１２６】
この第２アリ溝部１２３ａは、自由端部２３の左右側面から、スライダー幅方向の内側に向けて凹設された一対の第２凹溝条と、各第２凹溝条の空間部よりも下方に配され、且つ、一対の第２凹溝条の溝底面の位置からスライダー幅方向の外側に突出する一対の突条部１２３ｃとを有している。【０１２７】
また、本実施例４における第２アリ溝部１２３ａは、図１８に示すように、上翼板１１１の上面に対して、案内柱１１３に向けて僅かに下傾斜させて設けられている。このように下傾斜させることにより、上記閉塞部材１３０が前記挿通間隙１２５に装着固定された後は、閉塞部材１３０の後述する左右翼片１３３ａが前傾姿勢で装着されるため、後方へとより滑落しにくくなる。【０１２８】
本実施例４において、前記第２アリ溝部１２３ａにおける先端側の半部領域の左右端縁（溝底面）が、図１７に示すように内側に切り欠かれており、それによって、前記第２アリ溝部１２３ａの溝深さを深くし、後述する閉塞部材１３０の係着爪１３３ｂを安定して係着する係着空間１２３ｂが構成されている。この第２アリ溝部１２３ａと係着空間１２３ｂとが、閉塞部材１３０の後述する左右の翼片１３３を挿嵌する第２装着部の一部となる。【０１２９】
なお、引手取付杆１２０の自由端部１２３における第２アリ溝部１２３ａと、上翼板１１１に形成された前記凹嵌部１１１ｂの第１アリ溝部１１１ｃとにあって、その後部開放端の稜線部には面取りがなされている。これにより、第１アリ溝部１１１ｃ及び第２アリ溝部１２３ａに閉塞部材１３０の一部を挿嵌するにあたって、その挿入操作が行い易くなるとともに、上翼板１１１の上記凹嵌部１１１ｂに閉塞部材１３０の挿入時に、同閉塞部材１３０の上端に形成された後述する左右の起立板片１３３を水平方向（特に、スライダー幅方向）に容易に弾性変形させることを可能にする。【０１３０】
この実施例４における前記閉塞部材１３０は、上翼板１１１の上記凹嵌部１１１ｂの内壁面に形成された第１アリ溝部１１１ｃに挿嵌して装着される矩形状の基板部１３１と、基板部１３１の左右側縁及び前端縁から外側に向けて三方に連続して平行に延設されるコ字型のフランジ状板片１３２と、前記基板部１３１上面の左右端縁から平行に立ち上がる一対の起立板片１３３と、同起立板片１３３の上端内側面から向き合って延びる左右翼片１３３ａと、その左右翼片１３３ａの前端部の対向側面に向けて突出する係着爪１３３ｂとを有している。ここで、前記左右の起立板片１３３は左右方向に弾性変形が可能である。【０１３１】
以上の構成部材から本発明のスライダー４を組み立てるには、上翼板１１１の後端と閉塞部材１３０の前端との間に配される上記コイルスプリング１４０を、上翼板１１１の上記凹陥部１１１ｂの前方側の第１アリ溝部１１１ｃに形成されたスプリング挿入孔１１１ｄに挿入されて収容する。【０１３２】
次いで、閉塞部材１３０の基板部１３１の前端から前方に向けて延設されたフランジ状板片１３２の先端をコイルスプリング１４０の後端にあてがい、コイルスプリング１４０を圧縮しながら、閉塞部材１３０のフランジ状板片１３２をスライダー胴体１１０の上翼板１１１に形成された左右の第１アリ溝部１１１ｃに挿嵌すると同時に、閉塞部材１３０の左右翼片１３３ａの係着爪１３３ｂを引手取付杆１２０の自由端部１２３に形成された上記第２アリ溝部１２３ａに挿嵌して、閉塞部材１３０を前進させる。この前進時、起立板片１３３の上端から内側に突出する係着爪１３３ｂが前記第２アリ溝部１２３ａの溝底面により左右外側へと押し広げられる。閉塞部材１３０が第２アリ溝部１２３ａの半部係着空間１２３ｂに達すると、図１９に示すように、起立板片１３３に対する押し拡げ力が解除され、起立板片１３３が原形に弾性復帰して左右の係着爪１３３ｂが各係着空間１２３ｂに係着して組立てが終了する。【０１３３】
このとき、コイルスプリング１４０は圧縮された状態にあり、閉塞部材１３０を後方へと付勢している。ここで閉塞部材１３０をコイルスプリング１４０の付勢に抗して、凹陥部１１１ｂの底面上を更に前方へと移動させて、図２０に示すように、引手取付杆１２０の延設部１２２の下方で停止させる。ここで引手取付杆１２０の自由端部１２３と上翼板１１１の上面との間には、改めて引手挿通間隙１２５が形成され、同時に前記閉塞部材１３０の周辺と前記延設部１２２の下面との間に引手５の取付軸部５ｂが通過できる通過空間１４１が形成される。【０１３４】
そこで、本実施例４にあっては、引手５を取り付けるには、図２０に示すように、閉塞部材１３０を前記引手取付杆１２０における延設部１２２の下方の位置に来るよう前方へ移動させた後、図示せぬ前記引手の取付軸部５ｂを引手挿通間隙１２５から挿入し、前記延設部１２２と前記閉塞部材３０の周辺との間に形成された取付軸部５ｂの通過空間１４１を通して収容空間１２４へと挿入する。【０１３５】
このあとで、前記閉塞部材１３０に加えられているコイルスプリング１４０に対する圧縮力を解除すると、コイルスプリング１４０は伸長して閉塞部材１３０を第１及び第２装着部へと戻そうとするが、前記係着爪１３３ｂが引手取付杆１２０の第２アリ溝部１２３ａ内に形成された係着空間１２３ｂの係着面に係着して、閉塞部材１３０が停止する。これにより、引手５の取付けが終了する。【０１３６】
本実施例４では、前述のように、まず閉塞部材１３０をコイルスプリングの弾性力に抗して引手取付杆１２０の自由端部１２３と上翼板１１１の上面との間の引手挿通間隙１２５に第１及び第２装着部を介して仮装着させた後に閉塞部材１３０を前方へ移動させてから、引手５の取付軸部５ｂを取り付けているが、上記実施例１と同様に、引手５の取付けをスライダー４の組立時の最初に取り付けたのちに閉塞部材１３０を第１及び第２装着部に取り付けることも可能である。かかる構造によって、本実施例４のスライダー４にあっては、前述の引手取付け手順とは逆の手順で操作を行うことにより、引手５を引手取付杆１２と上翼板１１１の上面との間に形成される引手挿通空間１４１を介して取り外すことも可能である。【０１３７】
上述のようにして組み立てられるスライダー４は、スライダー胴体１０に配された第１装着部である凹嵌部１１１ｂの第１アリ溝部１１１ｃと、引手取付杆１２０に配された第２装着部である第２アリ溝部１２３ａ及び爪係着部の係着空間１２３ｂとに、閉塞部材３０の基板３１から延出する第１被着部であるコ字型のフランジ状板片１３２と、閉塞部材１３０の第２被着部である起立片上端に形成された左右翼片１３３ａ及び係着爪１３３ｂとを、単にコイルスプリング１４０の付勢力に抗して挿入して押し込むだけで、閉塞部材１３０の挿嵌部分が強固に挿嵌されるとともに、係着爪１３３ｂが係着空間１２３ｂの係着面に係着して、閉塞部材１３０とスライダー胴体１１０及び引手取付杆１２０との結合が自動的に且つ簡単になされる。【０１３８】
この結合によって、閉塞部材１３０とスライダー胴体１１０及び引手取付杆１２０とにおける上下・左右方向及び後退方向の相対的動きが確実に阻止され、たとえ引手５に斜め上方に向かう強大な引っ張り力が働いたとしても、引手５が大きく変形したり破損することを効果的に減少させることができる。また、本実施例４にあっては、閉塞部材１３０と上翼板１１１の第１アリ溝部１１１ｃとの間に圧縮状態にあるコイルスプリング１４０を介装したため、閉塞部材１３０を常に後方へと付勢している。【０１３９】
それにより、例えば上述のようにして、引手取付け時の操作と逆の操作を行うとき、すなわち図１７に仮想線で示すように、閉塞部材１３０を第１及び第２装着部から前方へとコイルスプリング１４０の付勢に抗して前方へと移動させた後、引手５を引手取付杆１２０の延設部１２２と閉塞部材１３０の周辺との間に形成された挿通空間１４１を通して、引手取付杆１２０の自由端部１２３と上翼板１１１との間の挿通間隙１２５から外すことができるため、好みの引手との交換が可能である。引手５を前記挿通間隙１２５から外したのち、図１７に実線で示すように、閉塞部材１３０はコイルスプリングの弾性力により元の第１及び第２装着部の位置に戻る。【０１４０】
本実施例４における閉塞部材１３０とスライダー胴体１１０及び引手取付杆１２０の主たる結合が、スライダー胴体１１０及び引手取付杆１２０の第１アリ溝部１１１ｃ及び第２アリ溝部１２３ａと、同第１アリ溝部１１１ｃ及び第２アリ溝部１２３ａに挿嵌結合される閉塞部材１３０との結合部によりなされるため、上下左右の動きが阻止され、また引手取付杆１２０の一部に形成された係着空間１２３ｂの係着面と閉塞部材１３０の係着爪１３３ｂとの係着により閉塞部材１３０の後方への動きも同時に阻止されるため、閉塞部材１３０がスライダー胴体１１０及び引手取付杆１２０の双方を強固に連結して、例えば引手５に閉塞部材１３０をスライダー胴体１１０及び引手取付杆１２０から外そうとする強い力がかかったとしても、閉塞部材１３０はその固定位置に不動のままとなり、特に引手取付杆１２０に大きな変形をもたらすことがなくなる。【０１４１】
以上、本発明の代表的な実施例を挙げて詳しく説明したが、本発明はこれらの実施例に限定されるものではない。例えば上記実施例４における上翼板１１１では、上面凹陥部１１１ｂにおける奥壁に形成された第１アリ溝部１１１ｃの溝底面に、コイルスプリング１４０の一端が挿入可能な有底状のスプリング挿入孔１１１ｄを設けてコイルスプリング１４０を収容し保持しているが、本発明では、コイルスプリング１４０の位置決め固定をすることができるその他の構造又は構成を採用することも可能である。【０１４２】
また、上記実施例１では、閉塞部材３０の第２被着部となる左右翼片３３ａに係着爪３３ｂを備えている。一方、上記実施例２では、閉塞部材６０の第１被着部となる左右平板部分６１ａに係着爪６１ｂを備えている。実施例３及び４では、各閉塞部材９０，１３０の第２被着部に係着爪９２ｂ，１３３ｂがそれぞれ配されている。【０１４３】
しかし、本発明において、後退移動阻止手段となる係着爪は、閉塞部材に設けられる第１及び第２被着部、上翼板に設けられる第１装着部、並びに引手取付杆の自由端部に設けられる第２装着部のうちの少なくとも１つに形成されていれば良い。従って、例えば、閉塞部材に設けられる第１被着部と第２被着部の両方に係着爪を形成することが可能である。また、上翼板に設けられる第１装着部（又は引手取付杆の自由端部に設けられる第２装着部）に係着爪を形成するとともに、閉塞部材に設けられる第１被着部（又は第２被着）に、その係着爪が係着する係着空間（係着面）を形成することも可能である。
【符号の説明】
【０１４４】
1,2,3,4               引手後付けスライダー（スライダー）
5                     引手
5a                    引手本体部
5b                    取付軸部
10,40,70,110          スライダー胴体
11,41,71,111          上翼板
11a,41a,73,111a       左右のフランジ
11b,41b,111b          凹陥部
11c,41c〜41e          第１アリ溝部
71c,71d,111c          第１アリ溝部
12,42,112             下翼板
11d,41h〜41j,111e     突片部
13,72                 案内柱
14,114                エレメント案内路
20,50,80,120          引手取付杆
21,51,81,121,         固定端部
22,52,82,122          延設部
23,53,83,123          自由端部
23a,53b,83a,123a     第２アリ溝部
23b,41g,123b        （係着爪の）係着空間
23c,53c,83b,123c      突条部
24,54,124           （引手）収容空間
25,55,85,125        （引手）挿通間隙
26,56                施錠部材
30,60,90,130          閉塞部材
31,131                (矩形) 基板部
32                   (コ字型) フランジ状板片
33                    起立板片
33a,63a,133a          左右翼片
33b,61b,92b,133b      係着爪
41f                   切欠き部
61                    (Ｕ字型) 水平基板
61a                   左右平板部分
91                    ブロック状本体
92                    (Ｔ字断面) 起立部
92a                   上部平板部
93                    挿嵌部
111d                  スプリング挿入孔
140                   コイルスプリング
141                   (引手) 通過空間
【図１】
2014073111.tif 000003
【図２】
2014073111.tif 000004
【図３】
2014073111.tif 000005
【図４】
2014073111.tif 000006
【図５】
2014073111.tif 000007
【図６】
2014073111.tif 000008
【図７】
2014073111.tif 000009
【図８】
2014073111.tif 000010
【図９】
2014073111.tif 000011
【図１０】
2014073111.tif 000012
【図１１】
2014073111.tif 000013
【図１２】
2014073111.tif 000014
【図１３】
2014073111.tif 000015
【図１４】
2014073111.tif 000016
【図１５】
2014073111.tif 000017
【図１６】
2014073111.tif 000018
【図１７】
2014073111.tif 000019
【図１８】
2014073111.tif 000020
【図１９】
2014073111.tif 000021
【図２０】
2014073111.tif 000022
【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
上下翼板(11,12,41,42,71,111,112)を有するスライダー胴体(10,40,70,110)の前記上翼板(11,41,71,111)の上面に、引手(5) を保持する引手取付杆(20,50,80,120)が片持状に一体に形成され、前記引手取付杆(20,50,80,120)は、前記上翼板(11,41,71,111)から起立する固定端部(21,51,81,121)と、前記上翼板(11,41,71,111)との間に前記引手(5) の一部が挿通可能な挿通間隙(25,55,85,125)が形成された自由端部(23,53,83,123)とを有し、前記挿通間隙(25,55,85,125)を閉塞する閉塞部材(30,60,90,130)が前記スライダー胴体(10,40,70,110)に配されてなるスライドファスナーの引手後付けスライダー(1,2,3,4) であって、
前記スライダー胴体(10,40,70,110)の前記上翼板(11,41,71,111)は、前記閉塞部材(30,60,90,130)を装着する第１装着部を有し、
前記引手取付杆(20,50,80,120)の前記自由端部(23,53,83,123)は、前記閉塞部材(30,60,90,130)を装着する第２装着部を有し、
前記閉塞部材(30,60,90,130)は、前記上翼板(11,41,71,111)の前記第１装着部に装着される第１被着部と、前記自由端部(23,53,83,123)の前記第２装着部に装着される第２被着部とを有し、
前記第１装着部及び前記第１被着部のうちの何れか一方が、第１アリ溝部(11c,41c〜41e,71c,71d,111c) を有するとともに、他方が、前記第１アリ溝部(11c,41c〜41e,71c,71d,111c) に挿嵌されて係合する第１挿嵌係合構造を備えた第１挿嵌係合部(32,61a,93,132) を有し、
前記第２装着部及び前記第２被着部のうちの何れか一方が、第２アリ溝部(23a,53b,83a,123a)を有するとともに、他方が、前記第２アリ溝部(23a,53b,83a,123a)に挿嵌されて係合する第２挿嵌係合構造を備えた第２挿嵌係合部(33a,63a,92a,133a)を有してなり、
前記第１アリ溝部(11c,41c〜41e,71c,71d,111c) は、前記上翼板(11,41,71,111)の前記第１装着部に配され、
前記第２アリ溝部(23a,53b,83a,123a)は、前記自由端部(23,53,83,123)の前記第２装着部に配されてなり、
前記第２アリ溝部(23a,53b,83a,123a)は、前記自由端部(23,53,83,123)におけるスライダー幅方向に向いた左右側面から、スライダー幅方向の内側に向けて凹設され、且つ、上下内壁面と溝底面とを備えた一対の第２凹溝条を有し、
各第２凹溝条の前記下内壁面は、前記第２凹溝条の溝底面の位置からスライダー幅方向の外側に向けて突出する突条部(23c,53c,83b,123c)により構成されてなる、
ことを特徴とする引手後付けスライダー。
【請求項２】
前記第１挿嵌係合構造及び第２挿嵌係合構造のうちの少なくとも一方は、前記閉塞部材(30,60,90,130)の後退方向への移動を阻止する後退移動阻止手段を有し、
前記後退移動阻止手段は、弾性部材を介した係着爪(33b,61b,92b,133b)による係着を含んでなる、
請求項１記載の引手後付けスライダー。
【請求項３】
前記第１アリ溝部(11c,41c〜41e,111c) は、前記上翼板の上面から下方に向けて凹設された凹陥部(11b,41b,111b)の周壁に、少なくともスライダー幅方向の外側に向けて凹設され、且つ、上下内壁面と溝底面とを備えた第１凹溝条を有し、
前記第１凹溝条の前記上内壁面は、前記第１凹溝条の前記溝底面の位置から前記凹陥部(11b,41b,111b)側に向けて突出する突片部(11d,41h〜41j,111e) により構成されてなる、請求項１又は２記載の引手後付けスライダー。
【請求項４】
前記閉塞部材(30,60,130) は、基板部(31,61,131) と、前記基板部(31,61,131) から上方に向けて、スライダー幅方向に所定の間隔を空けて起立した一対の起立板片(33,63,133) と、前記起立板片(33,63,133) の上端部において、互いに接近する方向に伸びた左右翼板(33a,63a,133a)とを有し、
前記左右翼板(33a,63a,133a)は、前記第２被着部として、前記第２アリ溝部(23a,53b,123a)の前記一対の第２凹溝条に挿嵌されて係合してなる、
請求項１又は２記載の引手後付けスライダー。
【請求項５】
前記閉塞部材(30,60,130) は、前記基板部(31,61,131) からスライダー幅方向の外側に延設され、前記第１被着部として前記第１アリ溝部(11c,41c〜41e,111c) の前記第１凹溝条に挿嵌されて係合する一対の平板片部(32,61a,132)を有し、
前記凹陥部(11b,41b,111b)と、前記第１アリ溝部(11c,41c〜41e,111c) の前記第１凹溝条とは、前記上翼板(11,41,111) の後口側端部に開口を有し、
前記閉塞部材(30,60,130) の前記基板部(31,61,131) 及び前記一対の平板片部(32,61a,132)は、前記開口を介して、前記凹陥部(11b,41b,111b)及び前記第１アリ溝部(11c,41c〜41e,111c) の前記第１凹溝条に挿入されてなる、
請求項３又は４記載の引手後付けスライダー。
【請求項６】
前記引手取付杆(20,120)は、前記固定端部(21,121)と前記自由端部(23,123)との間に配された延設部(22,122)を有し、
前記延設部(22,122)と前記上翼板(11,111)の上面との間に、引手収容部(24,124)が配され、
前記閉塞部材(30,130)は、前記左右翼板(33a,133a)の対向側面から互いに近接する方向に突出する一対の係着爪(33b,133b)を有し、
前記第２アリ溝部(23a,123a)の前記一対の第２凹溝条における前記引手収容部(24,124)側の端部に、前記係着爪(33b,133b)を収容して係着させる係着空間(23b,123b)が配されてなる、
請求項４又は５記載の引手後付けスライダー。
【請求項７】
前記閉塞部材(60)は、前記一対の平板片部(61a) からスライダー幅方向の外側に突出する一対の係着爪(61b) を有し、
前記第１アリ溝部(41c,41d) の前記第１凹溝条よりスライダー長さ方向の肩口側に、前記係着爪(61b) を収容して係着させる係着空間(41g) が配されてなる、
請求項５記載の引手後付けスライダー。
【請求項８】
前記第１アリ溝部(11c,41c〜41e,111c) の前記第１凹溝条、又は、前記第２アリ溝部(23a,53b,83a,123a)の第２凹溝条は、スライダー長さ方向の肩口側に向けて下り傾斜して配されてなる請求項１〜７のいずれかに記載の引手後付けスライダー。
【手続補正２】
【補正対象書類名】明細書
【補正対象項目名】００２４
【補正方法】変更
【補正の内容】
【００２４】
上記目的を達成するために、本発明に係る引手後付けスライダーは、基本的な構成として、上下翼板を有するスライダー胴体の前記上翼板の上面に、引手を保持する引手取付杆が片持状に一体に形成され、前記引手取付杆は、前記上翼板から起立する固定端部と、前記上翼板との間に前記引手の一部が挿通可能な挿通間隙が形成された自由端部とを有し、前記挿通間隙を閉塞する閉塞部材が前記スライダー胴体に配されてなるスライドファスナーの引手後付けスライダーであって、前記スライダー胴体の前記上翼板は、前記閉塞部材を装着する第１装着部を有し、前記引手取付杆の前記自由端部は、前記閉塞部材を装着する第２装着部を有し、前記閉塞部材は、前記上翼板の前記第１装着部に装着される第１被着部と、前記自由端部の前記第２装着部に装着される第２被着部とを有し、前記第１装着部及び前記第１被着部のうちの何れか一方が、第１アリ溝部を有するとともに、他方が、前記第１アリ溝部に挿嵌されて係合する第１挿嵌係合構造を備えた第１挿嵌係合部を有し、前記第２装着部及び前記第２被着部のうちの何れか一方が、第２アリ溝部を有するとともに、他方が、前記第２アリ溝部に挿嵌されて係合する第２挿嵌係合構造を備えた第２挿嵌係合部を有してなり、前記第１アリ溝部は、前記上翼板の前記第１装着部に配され、前記第２アリ溝部は、前記自由端部の前記第２装着部に配されてなり、前記第２アリ溝部は、前記自由端部におけるスライダー幅方向に向いた左右側面から、スライダー幅方向の内側に向けて凹設され、且つ、上下内壁面と溝底面とを備えた一対の第２凹溝条を有し、各第２凹溝条の前記下内壁面は、前記第２凹溝条の溝底面の位置からスライダー幅方向の外側に向けて突出する突条部により構成されてなることを特徴とするものである。
【手続補正３】
【補正対象書類名】明細書
【補正対象項目名】００２６
【補正方法】削除
【補正の内容】
【手続補正４】
【補正対象書類名】明細書
【補正対象項目名】００２８
【補正方法】削除
【補正の内容】
【国際調査報告】
2014073111.tif 000023
2014073111.tif 000024